(57)【要約】【課題】小便器等に用いる足のせ装置であって、排尿中等足をのせた状態であっても、足をのせる領域を洗浄することができるものを提供する。【解決手段】足のせシステム１は、足のせ装置５と制御システム２００とを有し、足のせ装置５は、ベース部７と、枠状の側部１０と、送水管３０４に接続された第１導水部と、送水管３１４に接続された第２導水部とを有し、第１導水部には、複数のノズル６０が取り付けられ、ノズル６０は、内底部２０から上方に突出している。また、第２導水部においては、放水口が前側部１２に設けられ、放水口から放水された水は内底部２０上を流れる。後側部１８には、内底部２０上を流れた水の排出口が設けられている。センサ２４０により利用者の接近が検知されると、ノズル６０から水が流出し、センサ２４０により検知されなくなると、放水口から放水される。【選択図】図２
2019210760.tif 000002
【特許請求の範囲】
【請求項１】
足のせ装置であって、
ベース部（７、７’）と、導水部（３０）と、複数の放水体（６０、７０、８０、１００、１２０）とを有し、
ベース部は、
放水体の配置位置に穴部が設けられた内底部（２０）と、
内底部の周端に沿った辺部における排水側以外の辺部である特定辺部から上方に形成された壁部（１２ｃ、１４ｃ、１６ｃ）と、を有し、
導水部は、
内底部の下側において液体を移動させるための複数の副導水部（３４−１〜３４−１２）と、複数の副導水部に接続され各副導水部に液体を供給するための本導水部（３２）と、を有し、
放水体は、放水体の上端が内底部の上面よりも上方にある状態で副導水部に設けられ、放水体の上面には、液体流出用の穴部（６６ａ、７６ａ、８６ａ、１１０ａ、１３０ａ）が設けられ、
液体が本導水部に供給されると、液体は副導水部を経て放水体に移動し、放水体の穴部から流出した液体は、内底部の上面を流れて内底部の排水側に移動し、
足のせ装置の利用者は、放水体の上に足をのせて利用するものであることを特徴とする足のせ装置。
【請求項２】
各副導水部は、内底面の下側に設けられた副導水部本体（３６）と、放水体を接続するための接続部であって、副導水部本体を流れた該液体が上方に移動するように副導水部本体に設けられた接続部（４２）と、を有し、副導水部本体における接続部が設けられた位置には穴部が設けられ、
放水体は、副導水部における接続部に接続されていることを特徴とする請求項１に記載の足のせ装置。
【請求項３】
１つの副導水部における副導水部本体は、隣接する副導水部における副導水部本体と略平行に設けられ、各副導水部本体において、副導水部本体において液体が流れる方向に沿って、複数の該接続部が間隔を介して設けられていることを特徴とする請求項２に記載の足のせ装置。
【請求項４】
足のせ装置には、第２導水部（５０）が設けられ、
第２導水部は、ベース部の壁部に設けられた放水口（５２ａ）と、放水口に液体を送るための第２導水部本体とを有し、
第２導水部本体に液体が供給されると、放水口から放水された液体が、内底部の上面を流れて内底部の排水側に移動することを特徴とする請求項１又は２又は３に記載の足のせ装置。
【請求項５】
内底部は方形状を呈し、第２導水部の放水口は、内底部における特定辺部とは反対側の辺部から形成された壁部（１２ｃ）に設けられていることを特徴とする請求項４に記載の足のせ装置。
【請求項６】
ベース部は、
副導水部と本導水部の下側に設けられた略板状の底部（９）と、
底部の辺部に沿って設けられ底部に対して立設した外壁部（１２ａ、１４ａ、１６ａ、１８ａ）と、
外壁部の上端から内底部側に向けて設けられた上壁部（１２ｂ、１４ｂ、１６ｂ、１８ｂ）とを有し、
壁部は、特定辺部から上方に上壁部まで形成され、
副導水部本体は、底部と内底部の間の空間に設けられていることを特徴とする請求項１又は２又は３又は４又は５に記載の足のせ装置。
【請求項７】
ベース部は、
副導水部と本導水部の下側に設けられた略板状の底部（９）と、
底部の辺部に沿って設けられ底部に対して立設した外壁部（１２ａ、１４ａ、１６ａ、１８ａ）と、
外壁部の上端から内底部側に向けて設けられた上壁部（１２ｂ、１４ｂ、１６ｂ、１８ｂ）とを有し、
壁部は、特定辺部から上方に上壁部まで形成され、
第２導水部本体における少なくとも一部は、外壁部と壁部の間の空間に設けられ、
本導水部は、第２導水部本体の下側の位置に設けられていることを特徴とする請求項６に記載の足のせ装置。
【請求項８】
放水体は、接続部と接続する取付部（６８、７８、８８）と、取付部から連設された放水体本体（６１、７１、８１）とを有し、
放水体本体は、筒状部（６４、７４、８４）と、筒状部の上端に設けられ、液体流出用の穴部が設けられた上面部（６６、７６、８６）とを有することを特徴とする請求項１又は２又は３又は４又は５又は６又は７に記載の足のせ装置。
【請求項９】
放水体において、上面部の外面から筒状部の外面にかけて複数条の溝部（９０ａ〜９０ｈ）が設けられていることを特徴とする請求項８に記載の足のせ装置。
【請求項１０】
放水体は、固定部（１０１−１、１２１−１）と固定部に内装され固定部に対して上下方向に移動可能な移動部（１０１−２、１２１−２）とを有し、
固定部は、接続部と接続する取付部（１１６、１３６）と、
取付部から連設された固定部本体（１０１−１Ａ）とを有し、
固定部本体は、
筒状部（１０４、１２４）と、
筒状部の内周面に設けられ、液体通過用の開口部（１０６ａ、１２７ａ）が設けられた環状部（１０６、１２７）と、
筒状部の内周面に設けられ、環状部の上方に設けられた複数の突状部（１０８ａ〜１０８ｄ、１２８ａ〜１２８ｄ）と、を有し、
移動部は、
環状部と突状部の間に設けられ、環状部の開口部を開閉する開閉蓋（１１４）と、
開閉蓋から上方に立設した立設部（１１２、１３２）と、
立設部の上端に設けられた上面部（１１０、１３０）とを有し、
上面部には、液体流出用の穴部が設けられ、
上面部を上方から押すことにより、水圧により移動部が開閉蓋が環状部の開口部を閉じた状態から上昇するのを規制した場合に、液体が環状部よりも上方に移動せず、
一方、水圧により移動部が開閉蓋が開口部を閉じた状態から上昇することにより開口部が開状態になった場合には、液体は、環状部の開口部と複数の突状部における隣接する突状部間の隙間を経て、上面部の穴部から流出し、開閉蓋が突状部の下面に接することにより、移動部の上昇が停止することを特徴とする請求項１又は２又は３又は４又は５又は６又は７に記載の足のせ装置。
【請求項１１】
開閉蓋（１１４）が固定部（１０１−１）に対して下端の位置にある場合には、開閉蓋の下面が環状部に接し、開閉蓋の下面が環状部に接した状態で、開閉蓋が開口部を閉じた状態となっていることを特徴とする請求項１０に記載の足のせ装置。
【請求項１２】
開閉蓋（１３４）の周端が環状部（１２７）の開口部（１２７ａ）の内周面に接する状態では、環状部の開口部が閉状態となり、開閉蓋が固定部に対して下端の位置から上昇して開口部が開状態になるまでの範囲においては、開口部の閉状態が維持されることを特徴とする請求項１０に記載の足のせ装置。
【請求項１３】
環状部の下側に第２環状部（１２６）が環状部から連設され、第２環状部には、液体通過用の第２開口部（１２６ａ）が設けられ、第２開口部は環状部の開口部よりも径が小さく形成されることにより、第２環状部の内側の端部が、環状部の開口部よりも内側に突出して形成され、開閉蓋が固定部に対して下端の位置にある場合には、開閉蓋の下面が第２環状部に接した状態となり、開閉蓋の下面が第２環状部に接した状態では、開閉蓋が第２開口部を閉じた状態となっていることを特徴とする請求項１２に記載の足のせ装置。
【請求項１４】
各副導水部において、副導水部に設けられた放水体の液体流出用の穴部の大きさが、副導水部における液体の流れ方向の下流側に行くほど大きくなるように形成されていることを特徴とする請求項１又は２又は３又は４又は５又は６又は７又は８又は９又は１０又は１１又は１２又は１３に記載の足のせ装置。
【請求項１５】
内底部の排水側の辺部に流れた液体を足のせ装置の外部に流すための排水用導水部（５６、５６’）が設けられていることを特徴とする請求項１又は２又は３又は４又は５又は６又は７又は８又は９又は１０又は１１又は１２又は１３又は１４に記載の足のせ装置。
【請求項１６】
足のせシステムであって、
足のせ装置（５、５’）と、制御部（２００）とを有し、
足のせ装置が、
ベース部（７、７’）と、導水部（３０）と、複数の放水体（６０、７０、８０、１００、１２０）とを有し、
ベース部は、
放水体の配置位置に穴部が設けられた内底部（２０）と、
内底部の周端に沿った辺部における排水側以外の辺部である特定辺部から上方に形成された壁部（１２ｃ、１４ｃ、１６ｃ）と、を有し、
導水部は、
内底部の下側において液体を移動させるための複数の副導水部（３４−１〜３４−１２）と、複数の副導水部に接続され各副導水部に液体を供給するための本導水部（３２）と、を有し、
放水体は、放水体の上端が内底部の上面よりも上方にある状態で副導水部に設けられ、放水体の上面には、液体流出用の穴部（６６ａ、７６ａ、８６ａ、１１０ａ、１３０ａ）が設けられ、
制御部は、
本導水部に液体を送るための流路を開閉する開閉手段（２１４）と、
放水体の上に足をのせた利用者を検知するためのセンサ（２４０、２４０’）の検知結果に基づき開閉手段を開閉制御する制御装置で、センサにより利用者が検知された場合には、該開閉手段を開状態とする制御装置（２３０）と、を有し、
開閉手段が開状態の場合には、流路を圧送された液体が本導水部から副導水部を経て放水体に移動し、放水体の穴部から流出した液体は、内底部の上面を流れて内底部の排水側に移動することを特徴とする足のせシステム。
【請求項１７】
制御装置が、センサにより利用者が検知されることにより開閉手段が開状態とされた第１時点から、センサにより利用者が検知される状態から利用者が検知されない状態になってから予め定められた時間が経過する第２時点までの間、開閉手段を開状態とし、該第２時点が経過した後に開閉手段を閉状態とすることを特徴とする請求項１６に記載の足のせシステム。
【請求項１８】
足のせ装置には、第２導水部（５０）が設けられ、
第２導水部は、ベース部の壁部に設けられた放水口（５２ａ）と、放水口に液体を送るための第２導水部本体とを有し、
制御部には、第２導水部本体に液体を送るための第２流路と、第２流路を開閉する第２開閉手段（２１６）とが設けられ、
制御装置は、センサにより利用者が検知される状態から利用者が検知されない状態になった場合には、第２開閉手段を開状態とし、第２開閉手段が開状態になった場合には、第２流路を圧送された液体が放水口から放水され、放水口から放水された液体が、内底部の上面を流れて内底部の排水側に移動することを特徴とする請求項１６又は１７に記載の足のせシステム。
【請求項１９】
足のせ装置には、第２導水部（５０）が設けられ、
第２導水部には、ベース部の壁部に設けられた放水口（５２ａ）と、放水口に液体を送るための第２導水部本体とが設けられ、
制御部には、第２導水部本体に液体を送るための流路である第２流路を開閉する第２開閉手段（２１６）とが設けられ、
制御装置は、センサにより利用者が検知された場合には、第２開閉手段を開状態とし、第２開閉手段が開状態になった場合には、第２流路を圧送された液体が放水口から放水され、放水口から放水された液体が、内底部の上面を流れて内底部の排水側に移動することを特徴とする請求項１６又は１７に記載の足のせシステム。
【請求項２０】
足のせ装置には、第２導水部（５０）が設けられ、
第２導水部には、ベース部の壁部に設けられた放水口（５２ａ）と、放水口に液体を送るための第２導水部本体とが設けられ、
制御部には、第２導水部本体に液体を送るための流路である第２流路を開閉する第２開閉手段（２１６）と、第２導水部本体に液体を送るための流路である第３流路を開閉する第３開閉手段（２１７）とが設けられ、
制御装置は、センサにより利用者が検知された場合には、第２開閉手段を開状態とし、センサにより利用者が検知される状態から利用者が検知されない状態になった場合には、第２開閉手段を開状態のままとした状態で、第３開閉手段を開状態とし、第２開閉手段が開状態になった場合や第２開閉手段と第３開閉手段が開状態になった場合には、第２流路を圧送された液体が放水口から放水され、放水口から放水された液体が、内底部の上面を流れて内底部の排水側に移動することを特徴とする請求項１６又は１７に記載の足のせシステム。
【請求項２１】
足のせシステムであって、
足のせ装置（５、５’）と、制御部（２００）とを有し、
足のせ装置が、
ベース部（７、７’）と、導水部（３０）と、複数の放水体（６０、７０、８０、１００、１２０）とを有し、
ベース部は、
放水体の配置位置に穴部が設けられた内底部（２０）と、
内底部の周端に沿った辺部における排水側以外の辺部である特定辺部から上方に形成された壁部（１２ｃ、１４ｃ、１６ｃ）と、を有し、
導水部は、
内底部の下側において液体を移動させるための複数の副導水部（３４−１〜３４−１２）と、複数の副導水部に接続され各副導水部に液体を供給するための本導水部（３２）と、を有し、
放水体は、放水体の上端が内底部の上面よりも上方にある状態で副導水部に設けられ、放水体の上面には、液体流出用の穴部（６６ａ、７６ａ、８６ａ、１１０ａ、１３０ａ）が設けられ、
制御部は、
本導水部に液体を送るための流路を開閉する開閉手段（２１４）と、
開閉手段を開状態にする操作を行なうための操作手段（２４１）と、
操作手段において開閉手段を開状態にする操作が行われた場合に開閉手段を開状態とする制御装置（２３０）と、
を有し、
開閉手段が開状態の場合には、流路を圧送された液体が本導水部から副導水部を経て放水体に移動し、放水体の穴部から流出した液体は、内底部の上面を流れて内底部の排水側に移動し、
足のせ装置の利用者は、放水体の上に足をのせて利用するものであることを特徴とする足のせシステム。
【請求項２２】
足のせ装置には、第２導水部（５０）が設けられ、
第２導水部は、ベース部の壁部に設けられた放水口（５２ａ）と、放水口に液体を送るための第２導水部本体とを有し、
制御部には、第２導水部本体に液体を送るための流路である第２流路を開閉する第２開閉手段（２１６）が設けられ、
制御装置は、操作手段において開閉手段を開状態にする操作が行われた場合に、第２開閉手段を開状態とし、第２開閉手段が開状態になった場合には、第２流路を圧送された液体が放水口から放水され、放水口から放水された液体が、内底部の上面を流れて内底部の排水側に移動することを特徴とする請求項２１に記載の足のせシステム。
【請求項２３】
足のせシステムであって、
足のせ装置（５、５’）と、開閉手段（４１０）と、操作手段（４３０）とを有し、
足のせ装置が、
ベース部（７、７’）と、導水部（３０）と、複数の放水体（６０、７０、８０、１００、１２０）とを有し、
ベース部は、
放水体の配置位置に穴部が設けられた内底部（２０）と、
内底部の周端に沿った辺部における排水側以外の辺部である特定辺部から上方に形成された壁部（１２ｃ、１４ｃ、１６ｃ）と、を有し、
導水部は、
内底部の下側において液体を移動させるための複数の副導水部（３４−１〜３４−１２）と、複数の副導水部に接続され各副導水部に液体を供給するための本導水部（３２）と、を有し、
放水体は、放水体の上端が内底部の上面よりも上方にある状態で副導水部に設けられ、放水体の上面には、液体流出用の穴部（６６ａ、７６ａ、８６ａ、１１０ａ、１３０ａ）が設けられ、
開閉手段が本導水部に液体を送るための流路を開閉し、操作手段における開閉手段を開状態にする操作により開閉手段が開状態とされ、
開閉手段が開状態の場合には、流路を圧送された液体が本導水部から副導水部を経て放水体に移動し、放水体の穴部から流出した液体は、内底部の上面を流れて内底部の排水側に移動し、
足のせ装置の利用者は、放水体の上に足をのせて利用するものであることを特徴とする足のせシステム。
【請求項２４】
足のせシステムであって、
足のせ装置（５、５’）と、開閉手段（４１０）と、操作手段（４３０）とを有し、
足のせ装置が、
ベース部（７、７’）と、導水部（３０）と、第２導水部（５０）と、複数の放水体（６０、７０、８０、１００、１２０）とを有し、
ベース部は、
放水体の配置位置に穴部が設けられた内底部（２０）と、
内底部の周端に沿った辺部における排水側以外の辺部である特定辺部から上方に形成された壁部（１２ｃ、１４ｃ、１６ｃ）と、を有し、
導水部は、
内底部の下側において液体を移動させるための複数の副導水部（３４−１〜３４−１２）と、複数の副導水部に接続され各副導水部に液体を供給するための本導水部（３２）と、を有し、
第２導水部は、ベース部の壁部に設けられた放水口（５２ａ）と、放水口に液体を送るための第２導水部本体とを有し、
放水体は、放水体の上端が内底部の上面よりも上方にある状態で副導水部に設けられ、放水体の上面には、液体流出用の穴部（６６ａ、７６ａ、８６ａ、１１０ａ、１３０ａ）が設けられ、
開閉手段が本導水部と第２導水部本体に液体を送るための流路を開閉し、操作手段における開閉手段を開状態にする操作により開閉手段が開状態とされ、
開閉手段が開状態の場合には、流路を圧送された液体が本導水部から副導水部を経て放水体に移動し、放水体の穴部から流出した液体は、内底部の上面を流れて内底部の排水側に移動するとともに、流路を圧送された液体が第２導水部本体を経て放水口から放水され、放水口から放水された液体が、内底部の上面を流れて内底部の排水側に移動し、
足のせ装置の利用者は、放水体の上に足をのせて利用するものであることを特徴とする足のせシステム。
【請求項２５】
内底部は方形状を呈し、第２導水部の放水口は、内底部における特定辺部とは反対側の辺部から形成された壁部（１２ｃ）に設けられていることを特徴とする請求項１８又は１９又は２０又は２２又は２４に記載の足のせシステム。
【請求項２６】
ベース部は、
副導水部と本導水部の下側に設けられた略板状の底部（９）と、
底部の辺部に沿って設けられ底部に対して立設した外壁部（１２ａ、１４ａ、１６ａ、１８ａ）と、
外壁部の上端から内底部側に向けて設けられた上壁部（１２ｂ、１４ｂ、１６ｂ、１８ｂ）とを有し、
壁部は、特定辺部から上方に上壁部まで形成され、
副導水部本体は、底部と内底部の間の空間に設けられていることを特徴とする請求項１６又は１７又は１８又は１９又は２０又は２１又は２２又は２３又は２４又は２５に記載の足のせシステム。
【請求項２７】
ベース部は、
副導水部と本導水部の下側に設けられた略板状の底部（９）と、
底部の辺部に沿って設けられ底部に対して立設した外壁部（１２ａ、１４ａ、１６ａ、１８ａ）と、
外壁部の上端から内底部側に向けて設けられた上壁部（１２ｂ、１４ｂ、１６ｂ、１８ｂ）とを有し、
壁部は、特定辺部から上方に上壁部まで形成され、
第２導水部本体における少なくとも一部は、外壁部と壁部の間の空間に設けられ、
本導水部は、第２導水部本体の下側の位置に設けられていることを特徴とする請求項１８又は１９又は２０又は２２又は２４又は２５に記載の足のせシステム。
【請求項２８】
各副導水部は、内底面の下側に設けられた副導水部本体（３６）と、放水体を接続するための接続部であって、副導水部本体を流れた該液体が上方に移動するように副導水部本体に設けられた接続部（４２）と、を有し、副導水部本体における接続部が設けられた位置には穴部が設けられ、
放水体は、副導水部における接続部に接続されていることを特徴とする請求項１６又は１７又は１８又は１９又は２０又は２１又は２２又は２３又は２４又は２５又は２６又は２７に記載の足のせシステム。
【請求項２９】
１つの副導水部における副導水部本体は、隣接する副導水部における副導水部本体と略平行に設けられ、各副導水部本体において、副導水部本体において液体が流れる方向に沿って、複数の該接続部が間隔を介して設けられていることを特徴とする請求項２８に記載の足のせシステム。
【請求項３０】
足のせシステムであって、
足のせ装置（５、５’）と、制御部（２００）とを有し、
足のせ装置が、
ベース部（７、７’）と、導水部（３０）と、第２導水部（５０）と、複数の放水体（６０、７０、８０、１００、１２０）とを有し、
ベース部は、
略板状の底部（９）と、
底部の辺部に沿って設けられた側部（１０）と、
側部に囲まれて設けられ、底部の上方に設けられた略板状の内底部で、放水体を取り付けるための複数の穴部が設けられた内底部（２０）と、を有し、
側部は、底部の辺部に沿って設けられ底部に対して立設した外壁部（１２ａ、１４ａ、１６ａ、１８ａ）と、外壁部の上端から内底部側に向けて設けられた上壁部（１２ｂ、１４ｂ、１６ｂ、１８ｂ）とを有するとともに、内底部の周端に沿った辺部における排水側以外の辺部から上方に上壁部の内底部側の辺部まで形成された内壁部（１２ｃ、１４ｃ、１６ｃ）を有し、
導水部は、
複数の副導水部（３４−１〜３４−１２）と、複数の副導水部に接続され各副導水部に液体を供給するための本導水部（３２）と、を有し、
各副導水部は、底部と内底面の間の空間に設けられた副導水部本体（３６）と、
放水体を接続するための接続部であって、副導水部本体を流れた該液体が上方に移動するように副導水部本体に設けられた接続部（４２）と、を有し、
１つの副導水部における副導水部本体は、隣接する副導水部における副導水部本体と略平行に設けられ、各副導水部本体において、副導水部本体における液体が流れる方向に沿って、複数の該接続部が間隔を介して設けられ、副導水部本体における接続部が設けられた位置には穴部が設けられ、
第２導水部は、ベース部の壁部に設けられた放水口（５２ａ）と、放水口に液体を送るための第２導水部本体とを有し、
第２導水部本体における少なくとも一部は、外壁部と内壁部の間の空間に設けられ、本導水部は、第２導水部本体の下側の位置に設けられ、
放水体は、導水部における接続部に接続された状態で放水体の上端が内底部の上面よりも上方にあるように設けられ、放水体の上面には、液体流出用の穴部（６６ａ、７６ａ、８６ａ、１１０ａ、１３０ａ）が設けられ、
制御部は、
本導水部に液体を送るための流路である第１流路を開閉する第１開閉手段（２１４）と、
第２導水部本体に液体を送るための流路である第２流路を開閉する第２開閉手段（２１６）と、
放水体の上に足をのせた利用者を検知するためのセンサ（２４０、２４０’）の検知結果に基づき開閉手段を開閉制御する制御装置で、センサにより利用者が検知された場合には、第１開閉手段を開状態とし、センサにより利用者が検知される状態から利用者が検知されない状態になった場合又はセンサにより利用者が検知された場合には、第２開閉手段を開状態とする制御装置（２３０）とを有し、
第１開閉手段が開状態の場合には、第１流路を圧送された液体が本導水部から副導水部を経て放水体に移動し、放水体の穴部から流出した液体は、内底部の上面を流れて内底部の排水側に移動し、第２開閉手段が開状態になった場合には、第２流路を圧送された液体が放水口から放水され、放水口から放水された液体が、内底部の上面を流れて内底部の排水側に移動することを特徴とする足のせシステム。
【請求項３１】
制御装置が、センサにより利用者が検知されることにより第１開閉手段が開状態とされた第１時点から、センサにより利用者が検知される状態から利用者が検知されない状態になってから予め定められた時間が経過する第２時点までの間、第１開閉手段を開状態とし、該第２時点が経過した後に第１開閉手段を閉状態とするとともに、第２開閉手段が開状態となってから第２時点までの間、第２開閉手段を開状態とし、該第２時点が経過した後に第２開閉手段を閉状態とすることを特徴とする請求項３０に記載の足のせシステム。
【請求項３２】
足のせシステムであって、
足のせ装置（５、５’）と、制御部（２００）とを有し、
足のせ装置が、
ベース部（７、７’）と、導水部（３０）と、第２導水部（５０）と、複数の放水体（６０、７０、８０、１００、１２０）とを有し、
ベース部は、
略板状の底部（９）と、
底部の辺部に沿って設けられた側部（１０）と、
側部に囲まれて設けられ、底部の上方に設けられた略板状の内底部で、放水体を取り付けるための複数の穴部が設けられた内底部（２０）と、を有し、
側部は、底部の辺部に沿って設けられ底部に対して立設した外壁部（１２ａ、１４ａ、１６ａ、１８ａ）と、外壁部の上端から内底部側に向けて設けられた上壁部（１２ｂ、１４ｂ、１６ｂ、１８ｂ）とを有するとともに、内底部の周端に沿った辺部における排水側以外の辺部から上方に上壁部の内底部側の辺部まで形成された内壁部（１２ｃ、１４ｃ、１６ｃ）を有し、
導水部は、
複数の副導水部（３４−１〜３４−１２）と、複数の副導水部に接続され各副導水部に液体を供給するための本導水部（３２）と、を有し、
各副導水部は、底部と内底面の間の空間に設けられた副導水部本体（３６）と、
放水体を接続するための接続部であって、副導水部本体を流れた該液体が上方に移動するように副導水部本体に設けられた接続部（４２）と、を有し、
１つの副導水部における副導水部本体は、隣接する副導水部における副導水部本体と略平行に設けられ、各副導水部本体において、副導水部本体における液体が流れる方向に沿って、複数の該接続部が間隔を介して設けられ、副導水部本体における接続部が設けられた位置には穴部が設けられ、
第２導水部は、ベース部の壁部に設けられた放水口（５２ａ）と、放水口に液体を送るための第２導水部本体とを有し、
第２導水部本体における少なくとも一部は、外壁部と内壁部の間の空間に設けられ、本導水部は、第２導水部本体の下側の位置に設けられ、
放水体は、導水部における接続部に接続された状態で放水体の上端が内底部の上面よりも上方にあるように設けられ、放水体の上面には、液体流出用の穴部（６６ａ、７６ａ、８６ａ、１１０ａ、１３０ａ）が設けられ、
制御部は、
本導水部に液体を送るための流路である第１流路を開閉する第１開閉手段（２１４）と、
第２導水部本体に液体を送るための流路である第２流路を開閉する第２開閉手段（２１６）と、
第２導水部本体に液体を送るための流路である第３流路を開閉する第３開閉手段（２１７）と、
放水体の上に足をのせた利用者を検知するためのセンサ（２４０、２４０’）の検知結果に基づき開閉手段を開閉制御する制御装置で、センサにより利用者が検知された場合には、第１開閉手段と第２開閉手段を開状態とし、センサにより利用者が検知される状態から利用者が検知されない状態になった場合には、第２開閉手段を開状態のままとした状態で、第３開閉手段を開状態とする制御装置（２３０）とを有し、
第１開閉手段が開状態の場合には、第１流路を圧送された液体が本導水部から副導水部を経て放水体に移動し、放水体の穴部から流出した液体は、内底部の上面を流れて内底部の排水側に移動し、第２開閉手段が開状態になった場合や第２開閉手段と第３開閉手段が開状態になった場合には、第２流路を圧送された液体が放水口から放水され、放水口から放水された液体が、内底部の上面を流れて内底部の排水側に移動することを特徴とする足のせシステム。
【請求項３３】
制御装置が、センサにより利用者が検知されることにより第１開閉手段が開状態とされた第１時点から、センサにより利用者が検知される状態から利用者が検知されない状態になってから予め定められた時間が経過する第２時点までの間、第１開閉手段と第２開閉手段を開状態とし、該第２時点が経過した後に第１開閉手段と第２開閉手段を閉状態とするとともに、第３開閉手段が開状態となってから第２時点までの間、第３開閉手段を開状態とし、該第２時点が経過した後に第３開閉手段を閉状態とすることを特徴とする請求項３２に記載の足のせシステム。
【請求項３４】
内底部は方形状を呈するとともに、側部が、内底部の辺部に沿って四角枠状に形成され、
第２導水部の放水口は、内底部における特定辺部とは反対側の辺部から形成された壁部（１２ｃ）に設けられていることを特徴とする請求項３０又は３１又は３２又は３３に記載の足のせシステム。
【請求項３５】
放水体は、接続部と接続する取付部（６８、７８、８８）と、取付部から連設された放水体本体（６１、７１、８１）とを有し、
放水体本体は、筒状部（６４、７４、８４）と、筒状部の上端に設けられ、液体流出用の穴部が設けられた上面部（６６、７６、８６）とを有することを特徴とする請求項１６又は１７又は１８又は１９又は２０又は２１又は２２又は２３又は２４又は２５又は２６又は２７又は２８又は２９又は３０又は３１又は３２又は３３又は３４に記載の足のせシステム。
【請求項３６】
放水体において、上面部の外面から筒状部の外面にかけて複数条の溝部（９０ａ〜９０ｈ）が設けられていることを特徴とする請求項３５に記載の足のせシステム。
【請求項３７】
放水体は、固定部（１０１−１、１２１−１）と固定部に内装され固定部に対して上下方向に移動可能な移動部（１０１−２、１２１−２）とを有し、
固定部は、接続部と接続する取付部（１１６、１３６）と、
取付部から連設された固定部本体（１０１−１Ａ）とを有し、
固定部本体は、
筒状部（１０４、１２４）と、
筒状部の内周面に設けられ、液体通過用の開口部（１０６ａ、１２７ａ）が設けられた環状部（１０６、１２７）と、
筒状部の内周面に設けられ、環状部の上方に設けられた複数の突状部（１０８ａ〜１０８ｄ、１２８ａ〜１２８ｄ）と、を有し、
移動部は、
環状部と突状部の間に設けられ、環状部の開口部を開閉する開閉蓋（１１４）と、
開閉蓋から上方に立設した立設部（１１２、１３２）と、
立設部の上端に設けられた上面部（１１０、１３０）とを有し、
上面部には、液体流出用の穴部が設けられ、
上面部を上方から押すことにより、水圧により移動部が開閉蓋が環状部の開口部を閉じた状態から上昇するのを規制した場合に、液体が環状部よりも上方に移動せず、
一方、水圧により移動部が開閉蓋が開口部を閉じた状態から上昇することにより開口部が開状態になった場合には、液体は、環状部の開口部と複数の突状部における隣接する突状部間の隙間を経て、上面部の穴部から流出し、開閉蓋が突状部の下面に接することにより、移動部の上昇が停止することを特徴とする請求項１６又は１７又は１８又は１９又は２０又は２１又は２２又は２３又は２４又は２５又は２６又は２７又は２８又は２９又は３０又は３１又は３２又は３３又は３４に記載の足のせシステム。
【請求項３８】
開閉蓋（１１４）が固定部（１０１−１）に対して下端の位置にある場合には、開閉蓋の下面が環状部に接し、開閉蓋の下面が環状部に接した状態で、開閉蓋が開口部を閉じた状態となっていることを特徴とする請求項３７に記載の足のせシステム。
【請求項３９】
開閉蓋（１３４）の周端が環状部（１２７）の開口部（１２７ａ）の内周面に接する状態では、環状部の開口部が閉状態となり、開閉蓋が固定部に対して下端の位置から上昇して開口部が開状態になるまでの範囲においては、開口部の閉状態が維持されることを特徴とする請求項３７に記載の足のせシステム。
【請求項４０】
環状部の下側に第２環状部（１２６）が環状部から連設され、第２環状部には、液体通過用の第２開口部（１２６ａ）が設けられ、第２開口部は環状部の開口部よりも径が小さく形成されることにより、第２環状部の内側の端部が、環状部の開口部よりも内側に突出して形成され、開閉蓋が固定部に対して下端の位置にある場合には、開閉蓋の下面が第２環状部に接した状態となり、開閉蓋の下面が第２環状部に接した状態では、開閉蓋が第２開口部を閉じた状態となっていることを特徴とする請求項３９に記載の足のせシステム。
【請求項４１】
各副導水部において、副導水部に設けられた放水体の液体流出用の穴部の大きさが、副導水部における液体の流れ方向の下流側に行くほど大きくなるように形成されていることを特徴とする請求項１６又は１７又は１８又は１９又は２０又は２１又は２２又は２３又は２４又は２５又は２６又は２７又は２８又は２９又は３０又は３１又は３２又は３３又は３４又は３５又は３６又は３７又は３８又は３９又は４０に記載の足のせシステム。
【請求項４２】
足のせ装置が、内底部の排水側の辺部に流れた液体を足のせ装置の外部に流すための排水用導水部（５６、５６’）を有することを特徴とする請求項１６又は１７又は１８又は１９又は２０又は２１又は２２又は２３又は２４又は２５又は２６又は２７又は２８又は２９又は３０又は３１又は３２又は３３又は３４又は３５又は３６又は３７又は３８又は３９又は４０又は４１に記載の足のせシステム。
【発明の詳細な説明】
【技術分野】
【０００１】
本発明は、小便器等に用いる踏み台としての足のせ装置に関するものである。
【背景技術】
【０００２】
従来、小便器における足下を洗浄する機能を有するものとしては、特許文献１〜４に示すものが存在する。
【０００３】
すなわち、特許文献１に記載の水洗式小便器装置は、小便器本体の周囲に落ちる尿を受ける滴受皿５と、滴受皿に洗浄水を流すための第二給水管３Ａと、便器本体及び前記滴受皿の尿を前記洗浄水と共に排水するための排水管２と、滴受皿を上から覆う排水目皿６とを有し、第２給水管３Ａから滴受皿５上に洗浄水が流出し、尿を洗い流しながら排出口５ｂから排出される。
【０００４】
また、特許文献２に記載の男性用便器は、主便器１０、主便器１０の正面下辺部に連結される足元受皿２０および洗浄水配管３０を有し、足元受皿２０の縁２１の内周に沿って噴水配管３４が設置され、格子状踏板２６が足元受皿２０の縁２１の内部に嵌め込んで設けられ、足元受皿２０上に飛散した排尿は格子状踏板２６を通過して足元受皿２０の底面２２上に落ち、洗浄弁３１を押すと、主便器１０の内面、両側開口端辺部すなわち流水用樋１３および足元受皿２０の底面２２を洗浄水が流れて洗い流し、外部排出管へ流出するようになっている。
【０００５】
また、特許文献３に記載のトイレルームにおいては、床面１４がトイレルームの他方の壁面１６からこの壁面１２に向けて下り勾配とされ、床面１４の所定箇所に滑り止めの小突起１４Ａを設けられている。また、壁面１６の下部には吐水ノズル１７と吐水配管１８が設置され、小便器１３の上部の人体検知センサ１９が人体を検知すると開弁されてノズル１７から吐水され、人体を検知しなくなると閉弁されて止水されるようになっている。
【０００６】
また、特許文献４に記載の小便器ステップ部の洗浄及び排水機構においては、パネル板５の下部には小便器６の幅より大きい横幅の水平なステップ部吐水口１３（２２）が設けられ、清掃時のみステップ部吐水口に切り換えてステップ部１０への吐水が出来る様にし、普段は便器内吐水口９からだけ吐水が行われるようにしておくようになっている。
【先行技術文献】
【特許文献】
【０００７】
【特許文献１】特開２００７−１８６８７７号公報
【特許文献２】特開２００４−３１６２１１号公報
【特許文献３】実開平６−２６６９３号公報
【特許文献４】特開平５−２０２５５２号公報
【発明の概要】
【発明が解決しようとする課題】
【０００８】
しかし、特許文献１に記載の水洗式小便器装置においては、滴受皿を洗浄することはできるものの、滴受皿を覆う排水目皿（つまり、足を置く領域）が尿により汚れても洗浄することができない。
【０００９】
同様に、特許文献２に記載の男性用便器においても、足下受皿を洗浄することはできるものの、足を置く領域である格子状踏板が尿により汚れても洗浄することはできない。
【００１０】
また、特許文献３のトイレルームにおいては、排尿中にノズルから吐水されることから、履物の側面に水がかかるのを防止するために、水面の高さは突起の上端よりも低くせざるを得ず、そうすると、突起の上部が尿により汚れても洗浄することができないという問題がある。
【００１１】
さらに、特許文献４の小便器ステップにおいては、足を置く領域をステップ部吐水口から吐水することにより洗浄することはできるものの、排尿中に吐水すると履物の側面に水がかかってしまうため、排尿中に足を置く領域を洗浄することはできない。
【００１２】
そこで、本発明は、小便器等に用いる足のせ装置であって、排尿中等足をのせた状態であっても、足を置く領域を洗浄することができるものを提供することを目的とするものである。
【課題を解決するための手段】
【００１３】
本発明は上記問題点を解決するために創作されたものであって、第１には、足のせ装置であって、ベース部（７、７’）と、導水部（３０）と、複数の放水体（６０、７０、８０、１００、１２０）とを有し、ベース部は、放水体の配置位置に穴部が設けられた内底部（２０）と、内底部の周端に沿った辺部における排水側以外の辺部である特定辺部から上方に形成された壁部（１２ｃ、１４ｃ、１６ｃ）と、を有し、導水部は、内底部の下側において液体を移動させるための複数の副導水部（３４−１〜３４−１２）と、複数の副導水部に接続され各副導水部に液体（洗浄用の液体としてもよい）を供給するための本導水部（３２）と、を有し、放水体は、放水体の上端が内底部の上面よりも上方にある状態で（「内底部の上面から上方に突出した状態で」としてもよい）副導水部に設けられ、放水体の上面には、液体流出用の穴部（６６ａ、７６ａ、８６ａ、１１０ａ、１３０ａ）が設けられ、液体が本導水部に供給されると、液体は副導水部を経て放水体に移動し、放水体の穴部から流出した液体は、内底部の上面を流れて内底部の排水側に移動し、足のせ装置の利用者は、放水体の上に足をのせて利用するものであることを特徴とする。
【００１４】
第１の構成においては、導水部に液体を供給することにより、液体が本導水部から副導水部を経て放水体に移動し、放水体の穴部から液体が流出するので、利用者が排尿中等足をのせた状態であっても利用者の足をのせる領域（足を置く領域としてもよい（他においても同じ））（特に、放水体）を洗浄することができる。また、放水体からの液体が上方に流出した場合でも、液体が利用者の履き物の底に当たり履き物の底面が濡れるのみであり、利用者の排尿中に放水体から液体が流出しても、利用者の足が濡れてしまうことはない。
【００１５】
また、第２には、上記第１の構成において、各副導水部は、内底面の下側に設けられた副導水部本体（３６）と、放水体を接続するための接続部であって、副導水部本体を流れた該液体が上方に移動するように副導水部本体に設けられた接続部（４２）と、を有し、副導水部本体における接続部が設けられた位置には穴部が設けられ、放水体は、副導水部における接続部に接続されていることを特徴とする。
【００１６】
よって、放水体は、接続部を介して副導水部本体と接続された構成であるので、放水体が破損した場合等に放水体を取り替えることができる。
【００１７】
また、第３には、上記第２の構成において、１つの副導水部における副導水部本体は、隣接する副導水部における副導水部本体と略平行に設けられ、各副導水部本体において、副導水部本体において液体が流れる方向に沿って、複数の該接続部が間隔を介して設けられていることを特徴とする。
【００１８】
また、第４には、上記第１から第３までのいずれかの構成において、足のせ装置には、第２導水部（５０）が設けられ、第２導水部は、ベース部の壁部に設けられた放水口（５２ａ）と、放水口に液体を送るための第２導水部本体とを有し、第２導水部本体に液体が供給されると、放水口から放水された液体が、内底部の上面を流れて内底部の排水側に移動することを特徴とする。
【００１９】
よって、放水口からの液体は内底部の上面を流れるので、内底部上に落ちた尿等の汚れを洗い流すことができる。
【００２０】
また、第５には、上記第４の構成において、内底部は方形状を呈し、第２導水部の放水口は、内底部における特定辺部とは反対側の辺部から形成された壁部（１２ｃ）に設けられていることを特徴とする。よって、第２導水部の放水口から放水された液体を排水しやすくすることができる。
【００２１】
また、第６には、上記第１から第５までのいずれかの構成において、ベース部は、副導水部と本導水部の下側に設けられた略板状の底部（９）と、底部の辺部に沿って設けられ底部に対して立設した外壁部（１２ａ、１４ａ、１６ａ、１８ａ）と、外壁部の上端から（底部と略平行に）内底部側に向けて設けられた上壁部（１２ｂ、１４ｂ、１６ｂ、１８ｂ）とを有し、壁部は、特定辺部から上方に上壁部まで形成され、副導水部本体は、底部と内底部の間の空間に設けられていることを特徴とする。
【００２２】
また、第７には、上記第６の構成において、ベース部は、副導水部と本導水部の下側に設けられた略板状の底部（９）と、底部の辺部に沿って設けられ底部に対して立設した外壁部（１２ａ、１４ａ、１６ａ、１８ａ）と、外壁部の上端から（底部と略平行に）内底部側に向けて設けられた上壁部（１２ｂ、１４ｂ、１６ｂ、１８ｂ）とを有し、壁部は、特定辺部から上方に上壁部まで形成され、第２導水部本体における少なくとも一部は、外壁部と壁部の間の空間に設けられ、本導水部は、第２導水部本体の下側の位置に設けられていることを特徴とする
よって、本導水部は、第２導水部本体の下側の位置に設けられているので、本導水部と第２導水部本体を省スペースで配置することができる。
【００２３】
また、第８には、上記第１から第７までのいずれかの構成において、放水体は、接続部と接続する取付部（６８、７８、８８）と、取付部から連設された放水体本体（６１、７１、８１）とを有し、放水体本体は、筒状部（６４、７４、８４）と、筒状部の上端に設けられ、液体流出用の穴部が設けられた上面部（６６、７６、８６）とを有することを特徴とする。
【００２４】
また、第９には、上記第８の構成において、放水体において、上面部の外面から筒状部の外面にかけて複数条の溝部（９０ａ〜９０ｈ）が設けられていることを特徴とする。これにより、穴部から流出した液体が溝部に沿って流れやすくすることができる。
【００２５】
また、第１０には、上記第１から第７までのいずれかの構成において、放水体は、固定部（１０１−１、１２１−１）と固定部に内装され固定部に対して上下方向に移動可能な移動部（１０１−２、１２１−２）とを有し、固定部は、接続部と接続する取付部（１１６、１３６）と、取付部から連設された固定部本体（１０１−１Ａ）とを有し、固定部本体は、筒状部（１０４、１２４）と、筒状部の内周面に設けられ、液体通過用の開口部（１０６ａ、１２７ａ）が設けられた環状部（１０６、１２７）と、筒状部の内周面に設けられ、環状部の上方に設けられた複数の突状部（１０８ａ〜１０８ｄ、１２８ａ〜１２８ｄ）と、を有し、移動部は、環状部と突状部の間に設けられ、環状部の開口部を開閉する開閉蓋（１１４）と、開閉蓋から上方に立設した立設部（１１２、１３２）と、立設部の上端に設けられた上面部（１１０、１３０）とを有し、上面部には、液体流出用の穴部が設けられ、上面部を上方から押すことにより、水圧により移動部が開閉蓋が環状部の開口部を閉じた状態から上昇するのを規制した場合に、液体が環状部よりも上方に移動せず、一方、水圧により移動部が開閉蓋が開口部を閉じた状態から上昇することにより開口部が開状態になった場合には、液体は、環状部の開口部と複数の突状部における隣接する突状部間の隙間を経て、上面部の穴部から流出し、開閉蓋が突状部の下面に接することにより、移動部の上昇が停止することを特徴とする。
【００２６】
よって、上面部を上方から押すことにより、水圧により移動部が開閉蓋が環状部の開口部を閉じた状態から上昇するのを規制した場合に、液体が環状部よりも上方に移動しないので、放水体に水が供給されても、小便器の利用者が載っている放水体からの放水が行われず、利用者が載っていない放水体だけから放水が行われるので、利用者が履き物の底を濡らすことがない。
【００２７】
また、第１１には、上記第１０の構成において、開閉蓋（１１４）が固定部（１０１−１）に対して下端の位置にある場合には、開閉蓋の下面が環状部に接し、開閉蓋の下面が環状部に接した状態で、開閉蓋が開口部を閉じた状態となっていることを特徴とする。
【００２８】
よって、開閉蓋が環状部の上面に接して開口部を閉じるので、水が放水体から流出するのを十分防止することができる。また、開閉蓋の下端位置では、開閉蓋が環状部の上面に接しているので、足が放水体の上に乗ることにより、移動部を下方に押しても、環状部により移動部を支持することができる。
【００２９】
また、第１２には、上記第１０の構成において、開閉蓋（１３４）の周端が環状部（１２７）の開口部（１２７ａ）の内周面に接する状態では、環状部の開口部が閉状態となり、開閉蓋が固定部に対して下端の位置から上昇して開口部が開状態になるまでの範囲においては、開口部の閉状態が維持されることを特徴とする。
【００３０】
よって、水圧により移動部が上昇した状態でも、開閉蓋が環状部の内周面に接している場合には、水は上面部の穴部から流出しないので、例えば、靴底に溝があって、放水体が該溝に入り込んで、いわば放水体を半押しした状態となっていても、開閉蓋の周端が環状部の内周面に接している場合には、水が流出せずに、利用者の履き物を濡らすことがない。
【００３１】
また、第１３には、上記第１２の構成において、環状部の下側に第２環状部（１２６）が環状部から連設され、第２環状部には、液体通過用の第２開口部（１２６ａ）が設けられ、第２開口部は環状部の開口部よりも径が小さく形成されることにより、第２環状部の内側の端部が、環状部の開口部よりも内側に突出して形成され、開閉蓋が固定部に対して下端の位置にある場合には、開閉蓋の下面が第２環状部に接した状態となり、開閉蓋の下面が第２環状部に接した状態では、開閉蓋が第２開口部を閉じた状態となっていることを特徴とする。
【００３２】
よって、開閉蓋が第２環状部の上面に接して開口部を閉じるので、水が放水体から流出するのを十分防止することができる。また、開閉蓋の下端位置では、開閉蓋が第２環状部の上面に接しているので、足が放水体の上に乗ることにより、移動部を下方に押しても、第２環状部により移動部を支持することができる。
【００３３】
また、第１４には、上記第１から第１３までのいずれかの構成において、各副導水部において、副導水部に設けられた放水体の液体流出用の穴部の大きさが、副導水部における液体の流れ方向の下流側に行くほど大きくなるように形成されていることを特徴とする。これにより、副導水部において下流側に行くほど放水体からの流出量がすくなくなるのを防止することができる。
【００３４】
また、第１５には、上記第１から第１４までのいずれかの構成において、内底部の排水側の辺部に流れた液体を足のせ装置の外部に流すための排水用導水部（５６、５６’）が設けられていることを特徴とする。
【００３５】
また、第１６には、足のせシステムであって、足のせ装置（５、５’）と、制御部（２００）とを有し、足のせ装置が、ベース部（７、７’）と、導水部（３０）と、複数の放水体（６０、７０、８０、１００、１２０）とを有し、ベース部は、放水体の配置位置に穴部が設けられた内底部（２０）と、内底部の周端に沿った辺部における排水側以外の辺部である特定辺部から上方に形成された壁部（１２ｃ、１４ｃ、１６ｃ）と、を有し、導水部は、内底部の下側において液体を移動させるための複数の副導水部（３４−１〜３４−１２）と、複数の副導水部に接続され各副導水部に液体（洗浄用の液体としてもよい）を供給するための本導水部（３２）と、を有し、放水体は、放水体の上端が内底部の上面よりも上方にある状態で（「内底部の上面から上方に突出した状態で」としてもよい）副導水部に設けられ、放水体の上面には、液体流出用の穴部（６６ａ、７６ａ、８６ａ、１１０ａ、１３０ａ）が設けられ、制御部は、本導水部に液体を送るための流路を開閉する開閉手段（２１４）と、放水体の上に足をのせた利用者を検知するためのセンサ（「利用者の接近を検知するためのセンサ」としてもよい）（２４０、２４０’）の検知結果に基づき開閉手段を開閉制御する制御装置で、センサにより利用者（「利用者の接近」としてもよい）が検知された場合には、該開閉手段を開状態とする制御装置（２３０）と、を有し、開閉手段が開状態の場合には、流路を圧送された液体が本導水部から副導水部を経て放水体に移動し、放水体の穴部から流出した液体は、内底部の上面を流れて内底部の排水側に移動することを特徴とする。なお、該センサを足のせ装置の近傍に設けられたセンサとしてもよい。
【００３６】
第１６の構成においては、センサにより利用者が検知された場合には、開閉手段が開状態となって、液体が本導水部から副導水部を経て放水体に移動し、放水体の穴部から液体が流出するので、利用者が排尿中等足をのせた状態であっても、利用者の足をのせる領域（特に、放水体）を洗浄することができる。また、放水体からの液体が上方に流出した場合でも、液体が利用者の履き物の底に当たり履き物の底面が濡れるのみであり、利用者の排尿中等足をのせた状態で放水体から液体が流出しても、利用者の足が濡れてしまうことはない。
【００３７】
なお、第１６の構成において、制御部が、本導水部に液体を送るための流路と、足のせ装置の近傍に設けられたセンサで、利用者（「利用者の接近」としてもよい）を検知するためのセンサ（２４０、２４０’）を有する構成としてもよい。
【００３８】
また、第１７には、上記第１６の構成において、制御装置が、センサにより利用者（「利用者の接近」としてもよい）が検知されることにより開閉手段が開状態とされた第１時点から、センサにより利用者（「利用者の接近」としてもよい）が検知される状態から利用者（「利用者の接近」としてもよい）が検知されない状態になってから予め定められた時間が経過する第２時点までの間、開閉手段を開状態とし、該第２時点が経過した後に開閉手段を閉状態とすることを特徴とする。
【００３９】
よって、利用者が検知されない状態になってから予め定められた時間が経過するまで、放水体から液体が流出するので、利用者の排尿後等足をのせない状態になっても、利用者の足をのせる領域（特に、放水体）を洗浄することができる。
【００４０】
また、第１８には、上記第１６又は第１７の構成において、足のせ装置には、第２導水部（５０）が設けられ、第２導水部は、ベース部の壁部に設けられた放水口（５２ａ）と、放水口に液体を送るための第２導水部本体とを有し、制御部には、第２導水部本体に液体を送るための第２流路と、第２流路を開閉する第２開閉手段（２１６）とが設けられ、制御装置は、センサにより利用者（「利用者の接近」としてもよい）が検知される状態から利用者（「利用者の接近」としてもよい）が検知されない状態になった場合には、第２開閉手段を開状態とし、第２開閉手段が開状態になった場合には、第２流路を圧送された液体が放水口から放水され、放水口から放水された液体が、内底部の上面を流れて内底部の排水側に移動することを特徴とする。
【００４１】
よって、放水口からの液体は内底部の上面を流れるので、内底部上に落ちた尿等の汚れを洗い流すことができる。また、利用者が検知されない状態になった場合に、第２開閉手段を開状態として、放水口から放水を行なうので、利用者の足を濡らすことがない。
【００４２】
なお、第１８の構成において、第２開閉手段が開状態となってから第２時点（つまり、センサにより利用者が検知される状態から利用者が検知されない状態になってから予め定められた時間が経過する第２時点）までの間、第２開閉手段を開状態とし、該第２時点が経過した後に第２開閉手段を閉状態としてもよい。
【００４３】
また、第１９には、上記第１６又は第１７の構成において、足のせ装置には、第２導水部（５０）が設けられ、第２導水部には、ベース部の壁部に設けられた放水口（５２ａ）と、放水口に液体を送るための第２導水部本体とが設けられ、制御部には、第２導水部本体に液体を送るための流路である第２流路を開閉する第２開閉手段（２１６）とが設けられ、制御装置は、センサにより利用者（「利用者の接近」としてもよい）が検知された場合には、第２開閉手段を開状態とし、第２開閉手段が開状態になった場合には、第２流路を圧送された液体が放水口から放水され、放水口から放水された液体が、内底部の上面を流れて内底部の排水側に移動することを特徴とする。
【００４４】
よって、放水口からの液体は内底部の上面を流れるので、内底部上に落ちた尿等の汚れを洗い流すことができる。また、排尿中の段階から放水口から放水されるので、内底部の汚れを即座に洗い流すことができる。
【００４５】
なお、第１９の構成において、制御部が、第２導水部本体に液体を送るための第２流路を有する構成としてもよい。また、第１９の構成において、第２開閉手段が開状態となってから第２時点（つまり、センサにより利用者が検知される状態から利用者が検知されない状態になってから予め定められた時間が経過する第２時点）までの間、第２開閉手段を開状態とし、該第２時点が経過した後に第２開閉手段を閉状態としてもよい。
【００４６】
また、第２０には、上記第１６又は第１７の構成において、足のせ装置には、第２導水部（５０）が設けられ、第２導水部には、ベース部の壁部に設けられた放水口（５２ａ）と、放水口に液体を送るための第２導水部本体とが設けられ、制御部には、第２導水部本体に液体を送るための流路である第２流路を開閉する第２開閉手段（２１６）と、第２導水部本体に液体を送るための流路である第３流路を開閉する第３開閉手段（２１７）とが設けられ、制御装置は、センサにより利用者（「利用者の接近」としてもよい）が検知された場合には、第２開閉手段を開状態とし、センサにより利用者（「利用者の接近」としてもよい）が検知される状態から利用者（「利用者の接近」としてもよい）が検知されない状態になった場合には、第２開閉手段を開状態のままとした状態で、第３開閉手段を開状態とし、第２開閉手段が開状態になった場合や第２開閉手段と第３開閉手段が開状態になった場合には、第２流路を圧送された液体が放水口から放水され、放水口から放水された液体が、内底部の上面を流れて内底部の排水側に移動することを特徴とする。
【００４７】
よって、放水口からの液体は内底部の上面を流れるので、内底部上に落ちた尿等の汚れを洗い流すことができる。また、第２開閉手段のみを開状態とした少量モードでは、排尿中の段階から放水口から放水されるので、内底部の汚れを即座に洗い流すことができ、また、第２開閉手段と第３開閉手段を開状態とした大量モードでは、利用者が検知されない状態になった場合に、第２開閉手段を開状態として、放水口から放水を行なうので、利用者の足を濡らすことがない。
【００４８】
なお、第２０の構成において、制御部が、第２導水部本体に液体を送るための第２流路と、第２導水部本体に液体を送るための流路である第３流路を有する構成としてもよい。また、第２０の構成において、第３開閉手段が開状態となってから第２時点（つまり、センサにより利用者が検知される状態から利用者が検知されない状態になってから予め定められた時間が経過する第２時点）までの間、第２開閉手段と第３開閉手段を開状態とし、該第２時点が経過した後に第２開閉手段と第３開閉手段を閉状態としてもよい。
【００４９】
また、第２１には、足のせシステムであって、足のせ装置（５、５’）と、制御部（２００）とを有し、足のせ装置が、ベース部（７、７’）と、導水部（３０）と、複数の放水体（６０、７０、８０、１００、１２０）とを有し、ベース部は、放水体の配置位置に穴部が設けられた内底部（２０）と、内底部の周端に沿った辺部における排水側以外の辺部である特定辺部から上方に形成された壁部（１２ｃ、１４ｃ、１６ｃ）と、を有し、導水部は、内底部の下側において液体を移動させるための複数の副導水部（３４−１〜３４−１２）と、複数の副導水部に接続され各副導水部に液体を供給するための本導水部（３２）と、を有し、放水体は、放水体の上端が内底部の上面よりも上方にある状態で（「内底部の上面から上方に突出した状態で」としてもよい）副導水部に設けられ、放水体の上面には、液体流出用の穴部（６６ａ、７６ａ、８６ａ、１１０ａ、１３０ａ）が設けられ、制御部は、本導水部に液体を送るための流路を開閉する開閉手段（２１４）と、開閉手段を開状態にする操作を行なうための操作手段（２４１）と、操作手段において開閉手段を開状態にする操作が行われた場合に開閉手段を開状態とする制御装置（２３０）と、を有し、開閉手段が開状態の場合には、流路を圧送された液体が本導水部から副導水部を経て放水体に移動し、放水体の穴部から流出した液体は、内底部の上面を流れて内底部の排水側に移動し、足のせ装置の利用者は、放水体の上に足をのせて利用するものであることを特徴とする。
【００５０】
第２１の構成においては、導水部に液体を供給することにより、液体が本導水部から副導水部を経て放水体に移動し、放水体の穴部から液体が流出するので、利用者が排尿中等足をのせた状態でも利用者の足をのせる領域（特に、放水体）を洗浄することができる。また、放水体からの液体が上方に流出した場合でも、液体が利用者の履き物の底に当たり履き物の底面が濡れるのみであり、利用者の排尿中等足をのせた状態で放水体から液体が流出しても、利用者の足が濡れてしまうことはない。
【００５１】
また、第２２には、第２１の構成において、足のせ装置には、第２導水部（５０）が設けられ、第２導水部は、ベース部の壁部に設けられた放水口（５２ａ）と、放水口に液体を送るための第２導水部本体とを有し、制御部には、第２導水部本体に液体を送るための流路である第２流路を開閉する第２開閉手段（２１６）が設けられ、制御装置は、操作手段において開閉手段を開状態にする操作が行われた場合に、第２開閉手段を開状態とし、第２開閉手段が開状態になった場合には、第２流路を圧送された液体が放水口から放水され、放水口から放水された液体が、内底部の上面を流れて内底部の排水側に移動することを特徴とする。
【００５２】
よって、放水口からの液体は内底部の上面を流れるので、内底部上に落ちた尿等の汚れを洗い流すことができる。
【００５３】
また、第２３には、足のせシステムであって、足のせ装置（５、５’）と、開閉手段（４１０）と、操作手段（４３０）とを有し、足のせ装置が、ベース部（７、７’）と、導水部（３０）と、複数の放水体（６０、７０、８０、１００、１２０）とを有し、ベース部は、放水体の配置位置に穴部が設けられた内底部（２０）と、内底部の周端に沿った辺部における排水側以外の辺部である特定辺部から上方に形成された壁部（１２ｃ、１４ｃ、１６ｃ）と、を有し、導水部は、内底部の下側において液体を移動させるための複数の副導水部（３４−１〜３４−１２）と、複数の副導水部に接続され各副導水部に液体を供給するための本導水部（３２）と、を有し、放水体は、放水体の上端が内底部の上面よりも上方にある状態で（「内底部の上面から上方に突出した状態で」としてもよい）副導水部に設けられ、放水体の上面には、液体流出用の穴部（６６ａ、７６ａ、８６ａ、１１０ａ、１３０ａ）が設けられ、開閉手段が本導水部に液体を送るための流路を開閉し、操作手段における開閉手段を開状態にする操作により開閉手段が開状態とされ、開閉手段が開状態の場合には、流路を圧送された液体が本導水部から副導水部を経て放水体に移動し、放水体の穴部から流出した液体は、内底部の上面を流れて内底部の排水側に移動し、足のせ装置の利用者は、放水体の上に足をのせて利用するものであることを特徴とする。
【００５４】
第２３の構成においては、導水部に液体を供給することにより、液体が本導水部から副導水部を経て放水体に移動し、放水体の穴部から液体が流出するので、利用者が排尿中等足をのせた状態でも利用者の足をのせる領域（特に、放水体）を洗浄することができる。また、放水体からの液体が上方に流出した場合でも、液体が利用者の履き物の底に当たり履き物の底面が濡れるのみであり、利用者の排尿中等足をのせた状態で放水体から液体が流出しても、利用者の足が濡れてしまうことはない。
【００５５】
また、第２４には、足のせシステムであって、足のせ装置（５、５’）と、開閉手段（４１０）と、操作手段（４３０）とを有し、足のせ装置が、ベース部（７、７’）と、導水部（３０）と、第２導水部（５０）と、複数の放水体（６０、７０、８０、１００、１２０）とを有し、ベース部は、放水体の配置位置に穴部が設けられた内底部（２０）と、内底部の周端に沿った辺部における排水側以外の辺部である特定辺部から上方に形成された壁部（１２ｃ、１４ｃ、１６ｃ）と、を有し、導水部は、内底部の下側において液体を移動させるための複数の副導水部（３４−１〜３４−１２）と、複数の副導水部に接続され各副導水部に液体を供給するための本導水部（３２）と、を有し、第２導水部は、ベース部の壁部に設けられた放水口（５２ａ）と、放水口に液体を送るための第２導水部本体とを有し、放水体は、放水体の上端が内底部の上面よりも上方にある状態で（「内底部の上面から上方に突出した状態で」としてもよい）副導水部に設けられ、放水体の上面には、液体流出用の穴部（６６ａ、７６ａ、８６ａ、１１０ａ、１３０ａ）が設けられ、開閉手段が本導水部と第２導水部本体に液体を送るための流路を開閉し、操作手段における開閉手段を開状態にする操作により開閉手段が開状態とされ、開閉手段が開状態の場合には、流路を圧送された液体が本導水部から副導水部を経て放水体に移動し、放水体の穴部から流出した液体は、内底部の上面を流れて内底部の排水側に移動するとともに、流路を圧送された液体が第２導水部本体を経て放水口から放水され、放水口から放水された液体が、内底部の上面を流れて内底部の排水側に移動し、足のせ装置の利用者は、放水体の上に足をのせて利用するものであることを特徴とする。
【００５６】
第２４の構成においては、導水部に液体を供給することにより、液体が本導水部から副導水部を経て放水体に移動し、放水体の穴部から液体が流出するので、利用者が排尿中等足をのせた状態でも利用者の足をのせる領域（特に、放水体）を洗浄することができる。また、放水体からの液体が上方に流出した場合でも、液体が利用者の履き物の底に当たり履き物の底面が濡れるのみであり、利用者の排尿中等足をのせた状態で放水体から液体が流出しても、利用者の足が濡れてしまうことはない。また、放水口からの液体は内底部の上面を流れるので、内底部上に落ちた尿等の汚れを洗い流すことができる。
【００５７】
また、第２５は、上記第１８から第２０までのいずれか又は第２２又は第２４の構成において、内底部は方形状を呈し、第２導水部の放水口は、内底部における特定辺部とは反対側の辺部から形成された壁部（１２ｃ）に設けられていることを特徴とする。よって、第２導水部の放水口から放水された液体を排水しやすくすることができる。
【００５８】
また、第２６には、上記第１６から第２５までのいずれかの構成において、ベース部は、副導水部と本導水部の下側に設けられた略板状の底部（９）と、底部の辺部に沿って設けられ底部に対して立設した外壁部（１２ａ、１４ａ、１６ａ、１８ａ）と、外壁部の上端から（底部と略平行に）内底部側に向けて設けられた上壁部（１２ｂ、１４ｂ、１６ｂ、１８ｂ）とを有し、壁部は、特定辺部から上方に上壁部まで形成され、副導水部本体は、底部と内底部の間の空間に設けられていることを特徴とする。
【００５９】
また、第２７には、上記第１８から第２０までのいずれか又は第２２又は第２４又は第２５の構成において、ベース部は、副導水部と本導水部の下側に設けられた略板状の底部（９）と、底部の辺部に沿って設けられ底部に対して立設した外壁部（１２ａ、１４ａ、１６ａ、１８ａ）と、外壁部の上端から（底部と略平行に）内底部側に向けて設けられた上壁部（１２ｂ、１４ｂ、１６ｂ、１８ｂ）とを有し、壁部は、特定辺部から上方に上壁部まで形成され、第２導水部本体における少なくとも一部は、外壁部と壁部の間の空間に設けられ、本導水部は、第２導水部本体の下側の位置に設けられていることを特徴とする。
【００６０】
よって、本導水部は、第２導水部本体の下側の位置に設けられているので、本導水部と第２導水部本体を省スペースで配置することができる。
【００６１】
また、第２８には、上記第１６から第２７までのいずれかの構成において、各副導水部は、内底面の下側に設けられた副導水部本体（３６）と、放水体を接続するための接続部であって、副導水部本体を流れた該液体が上方に移動するように副導水部本体に設けられた接続部（４２）と、を有し、副導水部本体における接続部が設けられた位置には穴部が設けられ、放水体は、副導水部における接続部に接続されていることを特徴とする。
【００６２】
よって、放水体は、接続部を介して副導水部本体と接続された構成であるので、放水体が破損した場合等に放水体を取り替えることができる。
【００６３】
また、第２９には、上記第２８の構成において、１つの副導水部における副導水部本体は、隣接する副導水部における副導水部本体と略平行に設けられ、各副導水部本体において、副導水部本体において液体が流れる方向に沿って、複数の該接続部が間隔を介して設けられていることを特徴とする。
【００６４】
また、第３０には、足のせシステムであって、足のせ装置（５、５’）と、制御部（２００）とを有し、足のせ装置が、ベース部（７、７’）と、導水部（３０）と、第２導水部（５０）と、複数の放水体（６０、７０、８０、１００、１２０）とを有し、ベース部は、略板状の底部（９）と、底部の辺部に沿って設けられた側部（１０）と、側部に囲まれて設けられ、底部の上方に設けられた略板状の内底部で、放水体を取り付けるための複数の穴部が設けられた内底部（２０）と、を有し、側部は、底部の辺部に沿って設けられ底部に対して立設した外壁部（１２ａ、１４ａ、１６ａ、１８ａ）と、外壁部の上端から（底部と略平行に）内底部側に向けて設けられた上壁部（１２ｂ、１４ｂ、１６ｂ、１８ｂ）とを有するとともに、内底部の周端に沿った辺部における排水側以外の辺部から上方に上壁部の内底部側の辺部まで形成された内壁部（１２ｃ、１４ｃ、１６ｃ）を有し、導水部は、複数の副導水部（３４−１〜３４−１２）と、複数の副導水部に接続され各副導水部に液体（洗浄用の液体としてもよい）を供給するための本導水部（３２）と、を有し、各副導水部は、底部と内底面の間の空間に設けられた副導水部本体（３６）と、放水体を接続するための接続部であって、副導水部本体を流れた該液体が上方に移動するように副導水部本体に設けられた接続部（４２）と、を有し、１つの副導水部における副導水部本体は、隣接する副導水部における副導水部本体と略平行に設けられ、各副導水部本体において、副導水部本体における液体が流れる方向に沿って、複数の該接続部が間隔を介して設けられ、副導水部本体における接続部が設けられた位置には穴部が設けられ、第２導水部は、ベース部の壁部に設けられた放水口（５２ａ）と、放水口に液体を送るための第２導水部本体とを有し、第２導水部本体における少なくとも一部は、外壁部と内壁部の間の空間に設けられ、本導水部は、第２導水部本体の下側の位置に設けられ、放水体は、導水部における接続部に接続された状態で放水体の上端が内底部の上面よりも上方にあるように設けられ（「内底面から上方に突出して設けられ」としてもよい）、放水体の上面には、液体流出用の穴部（６６ａ、７６ａ、８６ａ、１１０ａ、１３０ａ）が設けられ、制御部は、本導水部に液体を送るための流路である第１流路を開閉する第１開閉手段（２１４）と、第２導水部本体に液体を送るための流路である第２流路を開閉する第２開閉手段（２１６）と、放水体の上に足をのせた利用者を検知するためのセンサ（「利用者の接近を検知するためのセンサ」としてもよい）（２４０、２４０’）の検知結果に基づき開閉手段を開閉制御する制御装置で、センサにより利用者（「利用者の接近」としてもよい）が検知された場合には、第１開閉手段を開状態とし、センサにより利用者（「利用者の接近」としてもよい）が検知される状態から利用者（「利用者の接近」としてもよい）が検知されない状態になった場合又はセンサにより利用者（「利用者の接近」としてもよい）が検知された場合には、第２開閉手段を開状態とする制御装置（２３０）とを有し、第１開閉手段が開状態の場合には、第１流路を圧送された液体が本導水部から副導水部を経て放水体に移動し、放水体の穴部から流出した液体は、内底部の上面を流れて内底部の排水側に移動し、第２開閉手段が開状態になった場合には、第２流路を圧送された液体が放水口から放水され、放水口から放水された液体が、内底部の上面を流れて内底部の排水側に移動することを特徴とする。なお、該センサを足のせ装置の近傍に設けられたセンサとしてもよい。
【００６５】
第３０の構成においては、センサにより利用者が検知された場合には、開閉手段が開状態となって、液体が本導水部から副導水部を経て放水体に移動し、放水体の穴部から液体が流出するので、利用者が排尿中等足をのせた状態であっても、利用者の足をのせる領域（特に、放水体）を洗浄することができる。なお、放水体からの液体が上方に流出した場合でも、液体が利用者の履き物の底に当たり履き物の底面が濡れるのみであり、利用者の排尿中等足をのせた状態で放水体から液体が流出しても、利用者の足が濡れてしまうことはない。また、放水口からの液体は内底部の上面を流れるので、内底部上に落ちた尿等の汚れを洗い流すことができる。なお、センサにより利用者が検知される状態から利用者が検知されない状態になった場合に第２開閉手段を開状態とする場合には、利用者の足を濡らすことがなく、また、センサにより利用者が検知された場合に第２開閉手段を開状態とする場合には、排尿中等足をのせている段階から放水口から放水されるので、内底部の汚れを即座に洗い流すことができる。
【００６６】
なお、第３０の構成において、制御部が、本導水部に液体を送るための第１流路と、第２導水部本体に液体を送るための第２流路と、足のせ装置の近傍に設けられたセンサで、利用者（「利用者の接近」としてもよい）を検知するためのセンサ（２４０、２４０’）とを有する構成としてもよい。
【００６７】
また、第３１には、上記第３０の構成において、制御装置が、センサにより利用者（「利用者の接近」としてもよい）が検知されることにより第１開閉手段が開状態とされた第１時点から、センサにより利用者（「利用者の接近」としてもよい）が検知される状態から利用者（「利用者の接近」としてもよい）が検知されない状態になってから予め定められた時間が経過する第２時点までの間、第１開閉手段を開状態とし、該第２時点が経過した後に第１開閉手段を閉状態とするとともに、第２開閉手段が開状態となってから第２時点までの間、第２開閉手段を開状態とし、該第２時点が経過した後に第２開閉手段を閉状態とすることを特徴とする。
【００６８】
よって、利用者が検知されない状態になってから予め定められた時間が経過するまで、放水体から液体が流出し、放水口から放水が行われるので、利用者の等足をのせない状態になっても、利用者の足をのせる領域（特に、放水体）を洗浄することができるとともに、内底部の汚れを洗い流すことができる。
【００６９】
また、第３２には、足のせシステムであって、足のせ装置（５、５’）と、制御部（２００）とを有し、足のせ装置が、ベース部（７、７’）と、導水部（３０）と、第２導水部（５０）と、複数の放水体（６０、７０、８０、１００、１２０）とを有し、ベース部は、略板状の底部（９）と、底部の辺部に沿って設けられた側部（１０）と、側部に囲まれて設けられ、底部の上方に設けられた略板状の内底部で、放水体を取り付けるための複数の穴部が設けられた内底部（２０）と、を有し、側部は、底部の辺部に沿って設けられ底部に対して立設した外壁部（１２ａ、１４ａ、１６ａ、１８ａ）と、外壁部の上端から（底部と略平行に）内底部側に向けて設けられた上壁部（１２ｂ、１４ｂ、１６ｂ、１８ｂ）とを有するとともに、内底部の周端に沿った辺部における排水側以外の辺部から上方に上壁部の内底部側の辺部まで形成された内壁部（１２ｃ、１４ｃ、１６ｃ）を有し、導水部は、複数の副導水部（３４−１〜３４−１２）と、複数の副導水部に接続され各副導水部に液体（洗浄用の液体としてもよい）を供給するための本導水部（３２）と、を有し、各副導水部は、底部と内底面の間の空間に設けられた副導水部本体（３６）と、放水体を接続するための接続部であって、副導水部本体を流れた該液体が上方に移動するように副導水部本体に設けられた接続部（４２）と、を有し、１つの副導水部における副導水部本体は、隣接する副導水部における副導水部本体と略平行に設けられ、各副導水部本体において、副導水部本体における液体が流れる方向に沿って、複数の該接続部が間隔を介して設けられ、副導水部本体における接続部が設けられた位置には穴部が設けられ、第２導水部は、ベース部の壁部に設けられた放水口（５２ａ）と、放水口に液体を送るための第２導水部本体とを有し、第２導水部本体における少なくとも一部は、外壁部と内壁部の間の空間に設けられ、本導水部は、第２導水部本体の下側の位置に設けられ、放水体は、導水部における接続部に接続された状態で放水体の上端が内底部の上面よりも上方にあるように設けられ（「内底面から上方に突出して設けられ」としてもよい）、放水体の上面には、液体流出用の穴部（６６ａ、７６ａ、８６ａ、１１０ａ、１３０ａ）が設けられ、制御部は、本導水部に液体を送るための流路である第１流路を開閉する第１開閉手段（２１４）と、第２導水部本体に液体を送るための流路である第２流路を開閉する第２開閉手段（２１６）と、第２導水部本体に液体を送るための流路である第３流路を開閉する第３開閉手段（２１７）と、放水体の上に足をのせた利用者を検知するためのセンサ（「利用者の接近を検知するためのセンサ」としてもよい）（２４０、２４０’）の検知結果に基づき開閉手段を開閉制御する制御装置で、センサにより利用者（「利用者の接近」としてもよい）が検知された場合には、第１開閉手段と第２開閉手段を開状態とし、センサにより利用者（「利用者の接近」としてもよい）が検知される状態から利用者（「利用者の接近」としてもよい）が検知されない状態になった場合には、第２開閉手段を開状態のままとした状態で、第３開閉手段を開状態とする制御装置（２３０）とを有し、第１開閉手段が開状態の場合には、第１流路を圧送された液体が本導水部から副導水部を経て放水体に移動し、放水体の穴部から流出した液体は、内底部の上面を流れて内底部の排水側に移動し、第２開閉手段が開状態になった場合や第２開閉手段と第３開閉手段が開状態になった場合には、第２流路を圧送された液体が放水口から放水され、放水口から放水された液体が、内底部の上面を流れて内底部の排水側に移動することを特徴とする。なお、該センサを足のせ装置の近傍に設けられたセンサとしてもよい。
【００７０】
第３２の構成においては、センサにより利用者が検知された場合には、開閉手段が開状態となって、液体が本導水部から副導水部を経て放水体に移動し、放水体の穴部から液体が流出するので、利用者が排尿中等足をのせた状態であっても、利用者の足をのせる領域（特に、放水体）を洗浄することができる。なお、放水体からの液体が上方に流出した場合でも、液体が利用者の履き物の底に当たり履き物の底面が濡れるのみであり、利用者の排尿中等足をのせた状態で放水体から液体が流出しても、利用者の足が濡れてしまうことはない。また、放水口からの液体は内底部の上面を流れるので、内底部上に落ちた尿等の汚れを洗い流すことができる。また、第２開閉手段のみを開状態とした少量モードでは、排尿中の段階から放水口から放水されるので、内底部の汚れを即座に洗い流すことができ、また、第２開閉手段と第３開閉手段を開状態とした大量モードでは、利用者が検知されない状態になった場合に、第２開閉手段を開状態として、放水口から放水を行なうので、利用者の足を濡らすことがない。
【００７１】
なお、第３２の構成において、制御部が、本導水部に液体を送るための第１流路と、第２導水部本体に液体を送るための第２流路と、第２導水部本体に液体を送るための第３流路と、足のせ装置の近傍に設けられたセンサで、利用者（「利用者の接近」としてもよい）を検知するためのセンサ（２４０、２４０’）とを有する構成としてもよい。
【００７２】
また、第３３には、第３２の構成において、制御装置が、センサにより利用者（「利用者の接近」としてもよい）が検知されることにより第１開閉手段が開状態とされた第１時点から、センサにより利用者（「利用者の接近」としてもよい）が検知される状態から利用者（「利用者の接近」としてもよい）が検知されない状態になってから予め定められた時間が経過する第２時点までの間、第１開閉手段と第２開閉手段を開状態とし、該第２時点が経過した後に第１開閉手段と第２開閉手段を閉状態とするとともに、第３開閉手段が開状態となってから第２時点までの間、第３開閉手段を開状態とし、該第２時点が経過した後に第３開閉手段を閉状態とすることを特徴とする。
【００７３】
よって、利用者が検知されない状態になってから予め定められた時間が経過するまで、放水体から液体が流出し、放水口から放水が行われるので、利用者の排尿後等足をのせない状態になっても、利用者の足をのせる領域（特に、放水体）を洗浄することができるとともに、内底部の汚れを洗い流すことができる。
【００７４】
また、第３４には、上記第３０から第３３までのいずれかの構成において、内底部は方形状を呈するとともに、側部が、内底部の辺部に沿って四角枠状に形成され、第２導水部の放水口は、内底部における特定辺部とは反対側の辺部から形成された壁部（１２ｃ）に設けられていることを特徴とする。
【００７５】
また、第３５には、上記第１６から第３４までのいずれかの構成において、放水体は、接続部と接続する取付部（６８、７８、８８）と、取付部から連設された放水体本体（６１、７１、８１）とを有し、
放水体本体は、筒状部（６４、７４、８４）と、筒状部の上端に設けられ、液体流出用の穴部が設けられた上面部（６６、７６、８６）とを有することを特徴とする。
【００７６】
また、第３６には、上記第３５の構成において、放水体において、上面部の外面から筒状部の外面にかけて複数条の溝部（９０ａ〜９０ｈ）が設けられていることを特徴とする。これにより、穴部から流出した液体が溝部に沿って流れやすくすることができる。
【００７７】
また、第３７には、上記第１６から第３４までのいずれかの構成において、放水体は、固定部（１０１−１、１２１−１）と固定部に内装され固定部に対して上下方向に移動可能な移動部（１０１−２、１２１−２）とを有し、固定部は、接続部と接続する取付部（１１６、１３６）と、取付部から連設された固定部本体（１０１−１Ａ）とを有し、固定部本体は、筒状部（１０４、１２４）と、筒状部の内周面に設けられ、液体通過用の開口部（１０６ａ、１２７ａ）が設けられた環状部（１０６、１２７）と、筒状部の内周面に設けられ、環状部の上方に設けられた複数の突状部（１０８ａ〜１０８ｄ、１２８ａ〜１２８ｄ）と、を有し、移動部は、環状部と突状部の間に設けられ、環状部の開口部を開閉する開閉蓋（１１４）と、開閉蓋から上方に立設した立設部（１１２、１３２）と、立設部の上端に設けられた上面部（１１０、１３０）とを有し、上面部には、液体流出用の穴部が設けられ、上面部を上方から押すことにより、水圧により移動部が開閉蓋が環状部の開口部を閉じた状態から上昇するのを規制した場合に、液体が環状部よりも上方に移動せず、一方、水圧により移動部が開閉蓋が開口部を閉じた状態から上昇することにより開口部が開状態になった場合には、液体は、環状部の開口部と複数の突状部における隣接する突状部間の隙間を経て、上面部の穴部から流出し、開閉蓋が突状部の下面に接することにより、移動部の上昇が停止することを特徴とする。
【００７８】
よって、上面部を上方から押すことにより、水圧により移動部が開閉蓋が環状部の開口部を閉じた状態から上昇するのを規制した場合に、液体が環状部よりも上方に移動しないので、放水体に水が供給されても、利用者の足がのっている放水体からの放水が行われず、利用者の足がのっていない放水体だけから放水が行われるので、利用者が履き物の底を濡らすことがない。
【００７９】
また、第３８には、上記第３７の構成において、開閉蓋（１１４）が固定部（１０１−１）に対して下端の位置にある場合には、開閉蓋の下面が環状部に接し、開閉蓋の下面が環状部に接した状態で、開閉蓋が開口部を閉じた状態となっていることを特徴とする。
【００８０】
よって、開閉蓋が環状部の上面に接して開口部を閉じるので、水が放水体から流出するのを十分防止することができる。また、開閉蓋の下端位置では、開閉蓋が環状部の上面に接しているので、足が放水体の上に乗ることにより、移動部を下方に押しても、環状部により移動部を支持することができる。
【００８１】
また、第３９には、上記第３７の構成において、開閉蓋（１３４）の周端が環状部（１２７）の開口部（１２７ａ）の内周面に接する状態では、環状部の開口部が閉状態となり、開閉蓋が固定部に対して下端の位置から上昇して開口部が開状態になるまでの範囲においては、開口部の閉状態が維持されることを特徴とする。
【００８２】
よって、水圧により移動部が上昇した状態でも、開閉蓋が環状部の内周面に接している場合には、水は上面部の穴部から流出しないので、例えば、靴底に溝があって、放水体が該溝に入り込んで、いわば放水体を半押しした状態となっていても、開閉蓋の周端が環状部の内周面に接している場合には、水が流出せずに、利用者の履き物を濡らすことがない。
【００８３】
また、第４０には、上記第３９の構成において、環状部の下側に第２環状部（１２６）が環状部から連設され、第２環状部には、液体通過用の第２開口部（１２６ａ）が設けられ、第２開口部は環状部の開口部よりも径が小さく形成されることにより、第２環状部の内側の端部が、環状部の開口部よりも内側に突出して形成され、開閉蓋が固定部に対して下端の位置にある場合には、開閉蓋の下面が第２環状部に接した状態となり、開閉蓋の下面が第２環状部に接した状態では、開閉蓋が第２開口部を閉じた状態となっていることを特徴とする。
【００８４】
よって、開閉蓋が第２環状部の上面に接して開口部を閉じるので、水が放水体から流出するのを十分防止することができる。また、開閉蓋の下端位置では、開閉蓋が第２環状部の上面に接しているので、足が放水体の上に乗ることにより、移動部を下方に押しても、第２環状部により移動部を支持することができる。
【００８５】
また、第４１には、上記第１６から第４０までのいずれかの構成において、各副導水部において、副導水部に設けられた放水体の液体流出用の穴部の大きさが、副導水部における液体の流れ方向の下流側に行くほど大きくなるように形成されていることを特徴とする。これにより、副導水部において下流側に行くほど放水体からの流出量がすくなくなるのを防止することができる。
【００８６】
また、第４２には、上記第１６から第４１までのいずれかの構成において、足のせ装置が、内底部の排水側の辺部に流れた液体を足のせ装置の外部に流すための排水用導水部（５６、５６’）を有することを特徴とする。
【００８７】
なお、上記第１から第４２までのいずれかの構成において、内底部の上面が、排水側に行くほど下向きとなるように傾斜していることを特徴とするものとしてもよい。
【００８８】
また、上記第１から第４２までのいずれかの構成において、複数の放水体における各放水体は、隣接する放水体と間隔を介して設けられているとしてもよい。
【００８９】
また、上記第１から第４２までのいずれかの構成において、複数の放水体が列状に配設された放水体列が特定辺部と略直角の方向に複数設けられ、１の放水体列における放水体と該１の放水体列に隣接する放水体列における放水体とは、特定辺部の方向に間隔を介して設けられているものとしてもよい。
【００９０】
また、上記第５、第２５、第３４の構成において、副導水部本体は特定辺部と略直角の方向に設けられ、１の副導水部本体に設けられた放水体と該１の副導水部本体に隣接する副導水部本体に設けられた放水体とは、特定辺部の方向に間隔を介して設けられているものとしてもよい。
【００９１】
また、上記の各構成において、「足のせ装置」は、「足置き装置」又は「ステップ装置」又は「小便器の使用者が小便器使用時に立つ位置に設置するステップ装置」としてもよく、また、「足のせシステム」は、「足置きシステム」又は「ステップシステム」又は「小便器用ステップシステム」としてもよい。また、上記の各構成において、「放水体」は「ノズル」としてもよい。
【発明の効果】
【００９２】
本発明に基づく足のせ装置によれば、導水部に液体を供給することにより、液体が本導水部から副導水部を経て放水体に移動し、放水体の穴部から液体が流出するので、利用者が排尿中でも利用者の足をのせる領域（特に、放水体）を洗浄することができる。また、放水体からの液体が上方に流出した場合でも、液体が利用者の履き物の底に当たり履き物の底面が濡れるのみであり、利用者の排尿中等の利用中に放水体から液体が流出しても、利用者の足が濡れてしまうことはない。
【００９３】
また、本発明に基づく足のせシステムによれば、センサにより利用者が検知された場合には、開閉手段が開状態となって、液体が本導水部から副導水部を経て放水体に移動し、放水体の穴部から液体が流出するので、利用者が排尿中等の利用中であっても、利用者の足をのせる領域（特に、放水体）を洗浄することができる。また、放水体からの液体が上方に流出した場合でも、液体が利用者の履き物の底に当たり履き物の底面が濡れるのみであり、利用者の排尿中等の利用中に放水体から液体が流出しても、利用者の足が濡れてしまうことはない。
【図面の簡単な説明】
【００９４】
【図１】足のせ装置と足のせ装置の設置状況を示す斜視図である。
【図２】足のせシステムの構成を示す説明図である。
【図３】足のせ装置の前方斜視図である。
【図４】足のせ装置の後方斜視図である。
【図５】足のせ装置においてノズルを取り外した状態を示す前方斜視図である。
【図６】足のせ装置においてノズルを取り外した状態を示す後方斜視図である。
【図７】図６における要部破断拡大図である。
【図８】足のせ装置の平面図である。
【図９】第１導水部及び第３導水路の構成を示す説明図である。
【図１０】第２導水部の構成を示す説明図である。
【図１１】図３においてＡ−Ａ線で破断した要部断面図である。
【図１２】図３においてＡ−Ａ線で破断した要部断面図である。
【図１３】ノズルの構成を示す図であり、（ａ）は上面図、（ｂ）は側面図、（ｃ）は、（ａ）におけるＢ−Ｂ断面図である。
【図１４】足のせシステムの動作例を示すフローチャートである。
【図１５】足のせシステムの他の動作例を示すフローチャートである。
【図１６】足のせシステムの他の構成を示す説明図である。
【図１７】足のせシステムの他の動作例を示すフローチャートである。
【図１８】足のせシステムの他の例を示す説明図である。
【図１９】足のせシステムの他の例を示す説明図である。
【図２０】図１９に示す足のせシステムにおけるフラッシュバルブの概要を示す断面図である。
【図２１】ノズルの他の構成を示す図であり、（ａ）は上面図、（ｂ）は側面図、（ｃ）は、（ａ）におけるＣ−Ｃ断面図である。
【図２２】ノズルの他の構成を示す図であり、（ａ）は上面図、（ｂ）は側面図、（ｃ）は、（ａ）におけるＤ−Ｄ断面図である。
【図２３】ノズルの他の構成を示す図であり、（ａ）は上面図、（ｂ）は側面図、（ｃ）は、（ｅ）におけるＦ−Ｆ断面図、（ｄ）は、（ｅ）におけるＧ−Ｇ断面図、（ｅ）は、（ａ）におけるＥ−Ｅ断面図である。
【図２４】図２０のノズルの動作を説明する説明図である。
【図２５】ノズルの他の構成を示す図であり、（ａ）は上面図、（ｂ）は側面図、（ｃ）は、（ｅ）におけるＩ−Ｉ断面図、（ｄ）は、（ｅ）におけるＪ−Ｊ断面図、（ｅ）は、（ａ）におけるＨ−Ｈ断面図である。
【図２６】図２２のノズルの動作を説明する説明図である。
【図２７】図２２のノズルの使用状態を示す説明図である。
【図２８】図２０や図２２のノズルの設置領域の例を示す平面図である。
【図２９】側部の後側部の他の例を示す要部破断斜視図である。
【図３０】足のせ装置の他の例と該他の例の足のせ装置の設置状況を示す斜視図である。
【図３１】他の例の足のせ装置の平面図である。
【図３２】他の例の足のせ装置における第１導水部及び第３導水路の構成を示す説明図である。
【図３３】他の例の足のせ装置における第２導水部の構成を示す説明図である。
【発明を実施するための形態】
【００９５】
本発明においては、小便器等に用いる足置き用の足のせ装置であって、排尿中等足をのせた状態であっても、足をのせる領域を洗浄することができるものを提供するという目的を以下のようにして実現した。
【００９６】
本発明に基づく足のせ装置（足置き装置、ステップ装置、小便器用ステップ装置としてもよい）５は、足のせ装置の利用者が足をのせるための装置であり、図１〜図１３に示すように構成され、ベース部７と、ベース部７に設けられた第１導水部３０と、ベース部７に設けられた第２導水部５０と、ベース部７に設けられた第３導水部５６と、第１導水部３０に取り付けられた複数のノズル（放水体）６０とを有している。
【００９７】
ここで、ベース部７は、図３〜図６、図８、図１１、図１２等に示すように構成され、ベース部７は、ベース部７の底面を構成する底部９と、底部９の辺部に沿って形成された側部１０と、ベース部７の内底面を構成する内底部２０と、内底部２０を支持する支持部２２とを有し、側部１０が内底部２０よりも上方に突出して形成されている。このベース部７や後述のベース部７’を構成する各部の材質としては、例えば、ステンレス等の金属や、ＦＲＰ、ＣＦＲＰ等の強化プラスチックが挙げられる。
【００９８】
底部９は、方形状（具体的には、長方形状）の平板状（略平板状、略板状としてもよい）を呈している。
【００９９】
また、側部１０は、底部９の辺部に沿って枠状に形成され、底部９の正面側の辺部に沿って形成された前側部１２と、前側部１２の右側の端部から連設され、底部９の右側面側の辺部に沿って形成された右側部１４と、前側部１２の左側の端部から連設され、底部９の左側面側の辺部に沿って形成された左側部１６と、右側部１４の後側の端部と左側部１６の後側の端部から連設され、底部９の背面側の辺部に沿って形成された後側部１８とを有し、前側部１２と右側部１４と左側部１６と後側部１８は、いずれも外壁部と上壁部と内壁部とを有している。外壁部と上壁部と内壁部は、それぞれ板状（具体的には、平板状）を呈し、前側部１２と右側部１４と左側部１６と後側部１８は、平面視において、直線状の帯状を呈している。すなわち、前側部１２は、前側部１２の外側面をなす外壁部１２ａと、前側部１２の上面をなす上壁部１２ｂと、前側部１２の内側面をなす内壁部（壁部）１２ｃとを有し、右側部１４は、右側部１４の外側面をなす外壁部１４ａと、右側部１４の上面をなす上壁部１４ｂと、右側部１４の内側面をなす内壁部（壁部）１４ｃとを有し、左側部１６は、左側部１６の外側面をなす外壁部１６ａと、左側部１６の上面をなす上壁部１６ｂと、左側部１６の内側面をなす内壁部（壁部）１６ｃとを有し、後側部１８は、後側部１８の外側面をなす外壁部１８ａと、後側部１８の上面をなす上壁部１８ｂと、後側部１８の内側面をなす内壁部１８ｃとを有している。外壁部１２ａ、１４ａ、１６ａ、１８ａは、外面部としてもよく、上壁部１２ｂ、１４ｂ、１６ｂ、１８ｂは、上面部としてもよく、内壁部１２ｃ、１４ｃ、１６ｃ、１８ｃは、内面部としてもよい。
【０１００】
外壁部１２ａ、１４ａ、１６ａ、１８ａは、底部９の辺部に沿って底部９に対して立設して設けられている。また、上壁部は、対応する外壁部の上端から内底部２０側に向けて設けられ、例えば、上壁部１２ｂは、外壁部１２ａの上端から内底部２０側に向けて設けられ、上壁部１４ｂは、外壁部１４ａの上端から内底部２０側に向けて設けられ、上壁部１６ｂは、外壁部１６ａの上端から内底部２０側に向けて設けられ、上壁部１８ｂは、外壁部１８ａの上端から内底部２０側に向けて設けられている。
【０１０１】
また、内壁部１２ｃ、１４ｃ、１６ｃは、内底部２０の周端に沿った辺部における排水側以外の辺部（特定辺部）、すなわち、内壁部１８ｃ側以外の辺部から上方に立設されている。つまり、内底部２０における特定辺部は、内壁部１２ｃ側の辺部と、内壁部１４ｃ側の辺部と、内壁部１６ｃ側の辺部となる。また、内壁部１２ｃ、１４ｃ、１６ｃは、特定辺部から上方に上壁部１２ｂ、１４ｂ、１６ｂまで形成されている。つまり、内壁部１２ｃは、内底部２０の内壁部１２ｃ側の辺部から上方に上壁部１２ｂまで形成され、内壁部１４ｃは、内底部２０の内壁部１４ｃ側の辺部から上方に上壁部１４ｂまで形成され、内壁部１６ｃは、内底部２０の内壁部１６ｃ側の辺部から上方に上壁部１６ｂまで形成されている。なお、内壁部１８ｃ側の辺部が、排水側の辺部となる。
【０１０２】
前側部１２と右側部１４と左側部１６と後側部１８の各部において、外壁部と内壁部とは互いに平行（略平行としてもよい）であり、上壁部は、外壁部と内壁部に直角（略直角としてもよい）となっていて、外壁部と上壁部と内壁部とで断面略コ字状に形成されている。
【０１０３】
前側部１２と右側部１４と左側部１６と後側部１８の具体的な構成としては、外壁部と上壁部の間で係合するように形成されていて、例えば、図１１に示すように、前側部１２においては、外壁部１２ａの上端外側に切欠きが設けられて、内側に突出部１２ａ−１が設けられ、また、上壁部１２ｂの外側端部に下方に突出した突出部１２ｂ−１が設けられ、突出部１２ａ−１、１２ｂ−１に挿通穴が設けられ、突出部１２ａ−１の挿通穴にねじ溝が設けられるか、あるいは、突出部１２ａ−１の挿通穴にナットが埋め込まれていて、突出部１２ａ−１と突出部１２ｂ−１が係合した状態で、突出部１２ｂ−１の挿通穴に挿通されたボルトＢＴを突出部１２ａ−１のねじ溝（又は埋め込まれたナット）に螺合させて締めることにより外壁部１２ａと上壁部１２ｂとが固定されるようになっている。なお、上記のような外壁部の上端の突出部と上壁部の突出部とが係合する構成は、右側部１４、左側部１６と、後側部１８においても同様に用いられている。例えば、図１２に示すように、後側部１８においても、外壁部１８ａの突出部１８ａ−１と上壁部１８ｂの突出部１８ｂ−１が係合した状態で、ボルトＢＴを突出部１８ａ−１のねじ溝（又は埋め込まれたナット）に螺合して締めることにより外壁部１８ａと上壁部１８ｂが固定されている。
【０１０４】
また、左側部１６の外壁部１６ａには、第１導水部３０の管部３２−１を挿通するための穴部と第２導水部５０の管部５０−１を挿通するための穴部が設けられ、また、前側部１２の内壁部１２ｃには、第２導水部５０の放水管５２を挿通するための穴部が設けられ、また、後側部１８の内壁部１８ｃには、内底部２０上を流れた水を排出するための排出口１９が設けられ、また、右側部１４の外側面１４ａには、第３導水部５６における管部５９が挿通するための穴部が設けられている。
【０１０５】
また、内底部２０は、底部９の上方に底部９と間隔を介して設けられ、平板状（略平板状としてもよい）を呈している。内底部２０は、放水管５２の放水口５２ａから放水された水が排出口１９側に流れやすくするために排出口１９側に向けて下方となるように傾斜して形成されている。すなわち、内底部２０の上面は、排水側に行くほど下方となるように傾斜しているので、水が排水側に向けて流れやすくなっている。
【０１０６】
また、内底部２０には、ノズル６０を取り付ける箇所ごとに接続部４２の円筒状部４４ａを挿通するための円形の穴部が設けられている。また、内底部２０が傾斜していることから、内底部２０は、平板状を呈するが、接続部４２のフランジ部４４ｂが水平となるように、内底部２０の上面におけるフランジ部４４ｂとパッキン４６が接する領域が切り欠かれ、これにより、該領域が水平となっている。
【０１０７】
なお、側部１０における外壁部（外壁部１２ａ、１４ａ、１６ａ、１８ａ）と底部９とは一体に形成され、側部１０における外壁部は、底部９から一体に連設されている。また、側部１０における上壁部（上壁部１２ｂ、１４ｂ、１６ｂ、１８ｂ）と内壁部（内壁部１２ｃ、１４ｃ、１６ｃ、１８ｃ）と内底部２０とは一体に形成され、内壁部は上壁部から一体に連設され、内底部は、内壁部から一体に連設されている。
【０１０８】
また、支持部２２は、底部９と内底部２０間に設けられ、底部９の上面に接するとともに内底部２０の底面部に接して、内底部２０を支持している。支持部２２は、前後方向に伸びた板状を呈し、その上辺は、上辺が内底部２０の底面に接することから、下辺に対して傾斜しており、上下方向の幅は、背面側（後側部１８側）に行くに従い短くなるように形成されている。また、支持部２２は、内底部２０が下方に撓むのを防止するために設けられており、例えば、図９に示すように、３つの支持部２２が設けられていて、副導水部３４−３と副導水部３４−４間の位置と、副導水部３４−６と副導水部３４−７間の位置と、副導水部３４−９と副導水部３４−１０間の位置に設けられている。なお、３つの支持部２２が設けられているとしたが、３つ以外の複数の支持部２２が設けられているとしてもよく、また、１つの支持部２２が設けられている構成としてもよい。
【０１０９】
次に、第１導水部３０は、ノズル６０に水を導くための導水路を構成するものであり、図９、図１１、図１２等に示すように構成され、第１導水部３０は、左側部１６と前側部１２に沿って設けられた本導水部３２と、本導水部３２に接続された副導水部３４−１〜３４−１２とを有している。
【０１１０】
本導水部３２は、管部３２−１と、管部３２−２と、管部３２−３とを有し、管部３２−１、３２−２、３２−３は、いずれも円筒状を呈している。
【０１１１】
管部３２−１は、左右方向に直線状に形成されていて、左側部１６の外壁部１６ａを挿通して左側部１６の外部に露出している。管部３２−１の外部に露出した部分における端部は、第１導水部３０の供給口３０ａとなっている。また、管部３２−２は、管部３２−１の供給口３０ａとは反対側の端部から連設され、左側部１６に沿って直線状に形成されている。また、管部３２−３は、管部３２−２の正面側の端部から連設され、前側部１２に沿って直線状に形成されている。管部３２−３には、副導水部３４−１〜３４−１２における接続部３８を接続するための複数（具体的には、１２個）の穴部が管部３２−３の背面側に所定間隔（具体的には、一定間隔）で設けられ、該穴部には、接続部３８と螺合するためのねじ溝が形成されている。
【０１１２】
管部３２−２は、左側部１６内に左側部１６に沿って設けられ（つまり、外壁部１６ａと内壁部１６ｃの間の空間に左側部１６の長手方向に沿って設けられている）、管部３２−３は、前側部１２内に前側部１２に沿って設けられており（つまり、外壁部１２ａと内壁部１２ｃの間の空間に前側部１２の長手方向に沿って設けられている）、例えば、管部３２−３は、底部９の上面に設けられた台板部１２ｄの上面に設けられている。つまり、管部３２−３の外径が副導水部本体３６の外径よりも小さいため、台板部１２ｄ上に設けられている。同様に、管部３２−２は、底部９の上面に設けられた台板部（台板部１２ｄと同様の構成の台板部）の上面に設けられている。管部３２−１と管部３２−２と管部３２−３は、ともに水平方向（底部９の下面に沿った方向）に形成されている。
【０１１３】
また、副導水部３４−１〜３４−１２は、前後方向に並列して設けられ、副導水部３４−１〜３４−１２における各副導水部は同様の構成であるので、副導水部３４−４を例にとって説明すると、副導水部３４−４は、副導水部本体３６と、副導水部本体３６の正面側の端部と管部３２−３とを接続する接続部３８と、副導水部本体３６の背面側の端部に取り付けられた蓋部４０と、副導水部本体３６の長手方向に沿って所定間隔（具体的には、一定間隔）で副導水部本体３６に取り付けられた接続部４２とを有している。
【０１１４】
ここで、副導水部本体３６は、直線状の円筒状の管部であり、前後方向に形成されている。副導水部３４−１〜３４−１２において、副導水部本体３６は、互いに平行（略平行としてもよい）に形成されている。つまり、１つの副導水部における副導水部本体は、隣接する副導水部における副導水部本体と平行（略平行としてもよい）に形成されている。副導水部本体３６の上側には、接続部４２と接続し接続部４２と連通するための穴部（接続部４２が設けられた位置に設けられた穴部）が所定間隔（具体的には、一定間隔）に設けられ、該穴部には、接続部４２（特に、接続部本体４４）と螺合するためのねじ溝が形成されている。また、副導水部本体３６の正面側の端部の内側には、接続部３８と螺合するためのねじ溝が形成され、副導水部本体３６の背面側の端部の内側には、蓋部４０と螺合するためのねじ溝が形成されている。副導水部本体３６は、底部９の上面に接して設けられ、内底部２０の下側に設けられている。つまり、副導水部本体３６は、底部９と内底部２０間の空間に設けられている。なお、内底部２０は、背面側にいくほど下方となるように傾斜しているので、副導水部本体３６と内底部２０間の間隔は、背面側にいくほど狭くなる。
【０１１５】
接続部３８は、外径が異なる２つの円筒状部材を連設した構成を有し、小径部３８ａと小径部３８ａの軸線方向の端部から連設された大径部３８ｂとを有し、小径部３８ａの外周面には、管部３２−３の穴部と螺合するためのねじ溝が形成され、大径部３８ｂの外周面には、副導水部本体３６の正面側の端部と螺合するためのねじ溝が形成されている。小径部３８ａと大径部３８ｂの内径は同一であり、接続部３８の内周面は、１つの円柱状の周面を呈している。以上のように、接続部３８においては、小径部３８ａが管部３２−３に螺合して接続され、大径部３８ｂが、副導水部本体３６に螺合して接続されている。
【０１１６】
また、蓋部４０は、円柱状の板状を呈し、その外周面に副導水部本体３６と螺合するためのねじ溝が形成されている。蓋部４０は、副導水部本体３６に螺合して接続され、副導水部本体３６の背面側の端部を閉状態にしている。
【０１１７】
また、接続部４２は、副導水部本体３６の穴部に接続された接続部本体４４と、パッキン４６とを有し、接続部本体４４は、円筒状部４４ａと、円筒状部４４ａの軸線方向の端部から連設されたフランジ部４４ｂとを有し、円筒状部４４ａは、円筒状を呈し、円筒状部４４ａの内周面には、ノズル６０と螺合するためのねじ溝が形成され、円筒状部４４ａの外周面におけるフランジ部４４ｂとは反対側の領域には、副導水部本体３６の穴部と螺合するためのねじ溝が形成されている。フランジ部４４ｂは、円環状の板状を呈し、その外周端の円筒状部４４ａ側の面には、パッキン４６を配置するための切欠きが周状に設けられている。接続部本体４４は、副導水部本体３６の上面側に螺合して接続されている。接続部４２は、ノズル６０と接続するために設けられるとともに、副導水部本体３６を流れた水が上方に移動するように設けられている。
【０１１８】
接続部４２が副導水部本体３６に取り付けられた状態では、円筒状部４４ａが副導水部本体３６の穴部と螺合し、フランジ部４４ｂの下面が内底部２０の上面に接した状態となっている。
【０１１９】
なお、フランジ部４４ｂの厚みは、複数種類設けられていて、背面側にいくほどフランジ部４４ｂの厚みが厚くなる。すなわち、内底部２０が背面側にいくほど下方となるように傾斜するので、ノズル６０を取り付けた際に、ノズル６０の上端の高さを合わせるために、背面側にいくほどフランジ部４４ｂの厚みが厚い接続部本体４４を用いる。
【０１２０】
パッキン４６は、接続部本体４４のフランジ部４４ｂの切欠きに設けられ、全体に円環形状を呈している。これにより、内底部２０上を流れる水が接続部本体４４と内底部２０の隙間に入り込むのを防止している。
【０１２１】
なお、フランジ部４４ｂの厚みを変える代わりに、ノズルのノズル本体６１、７１や固定部本体１０１−１Ａ、１２１−１Ａの上下方向の長さを複数種類設けてもよい。
【０１２２】
また、第２導水部５０は、内底部２０の上面に水を放水するための導水路を構成するものであり、管部５０−１と、管部５０−２と、管部５０−３と、放水管５２とを有し、管部５０−１、５０−２、５０−３と放水管５２は、いずれも円筒状を呈している。
【０１２３】
管部５０−１は、左右方向に直線状に形成されていて、左側部１６の外壁部１６ａを挿通して左側部１６の外部に露出している。管部５０−１の外部に露出した部分における端部は、第２導水部５０の供給口５０ａとなっている。また、管部５０−２は、管部５０−１の供給口５０ａとは反対側の端部から連設され、左側部１６内に左側部１６に沿って直線状に形成されている（つまり、外壁部１６ａと内壁部１６ｃの間の空間に左側部１６の長手方向に沿って直線状に設けられている）。また、管部５０−３は、管部５０−２の正面側の端部から連設され、前側部１２内に前側部１２の長手方向に沿って直線状に形成されている（つまり、外壁部１２ａと内壁部１２ｃの間の空間に前側部１２の長手方向に沿って直線状に設けられている）。管部５０−３には、放水管５２を接続するための複数（具体的には、１１個）の穴部が管部５０−３の背面側に所定間隔（具体的には、一定間隔）で設けられ、該穴部には、放水管５２と螺合するためのねじ溝が形成されている。
【０１２４】
管部５０−２は、左側部１６内に設けられ、管部５０−３は、前側部１２内に設けられており、例えば、管部５０−３は、前側部１２の外壁部１２ａから内側に突設された支持部１２ｅ上に支持されている。同様に、管部５０−２は、左側部１６の外壁部１６ａから内側に突設された支持部（支持部１２ｅと同様の構成の支持部）上に支持されている。
【０１２５】
また、放水管５２は、円筒状を呈し、その外周面の正面側の領域に管部５０−３の穴部と螺合するためのねじ溝が形成され、放水管５２は、管部５０−３と螺合して設けられている。また、放水管５２の背面側の端部が放水口５２ａとなる。放水管５２は、内壁部１２ｃに設けられた穴部に挿入した状態で設けられ、放水口５２ａは、内壁部１２ｃに設けられている。これにより、放水口５２ａは、排水口１９側（内底部２０における排水側としてもよい）に向けて設けられている。
【０１２６】
なお、放水管５２の取付け箇所は、左右方向において、副導水部３４−１〜３４−１２における隣接する２つの副導水部の間の位置であり、管部５０−３に設けられた穴部（放水管５２と接続するための穴部）は、左右方向において、管部３２−３に設けられた穴部（接続部３８と接続するための穴部）における隣接する２つの穴部から等距離の位置に設けられてる。これにより、放水口５２ａから放水された水がノズル６０に遮られることなく、スムーズに背面側に流れることができる。なお、放水管５２の左右方向の位置は、上記には限られず、管部３２−３に設けられた穴部の位置に設けてもよい。
【０１２７】
なお、管部５０−１、５０−２、５０−３（特に、管部５０−２、５０−３）と放水管５２とで、第２導水部本体が構成される。第２導水部本体における少なくとも一部は、外壁部と内壁部の間の空間に設けられている。つまり、管部５０−２は、外壁部１６ａと内壁部１６ｃの間の空間に設けられ、管部５０−３は、外壁部１２ａと内壁部１２ｃの間の空間に設けられている。
【０１２８】
また、本導水部３２は、第２導水部本体の下側の位置に設けられ、具体的には、管部３２−２は、管部５０−２の下側の位置に設けられ、管部３２−３は、管部５０−３の下側の位置に設けられているので、本導水部３２と第２導水部本体を省スペースで配置することができる。
【０１２９】
また、放水口５２ａが側部１０の正面側に設けられ、排水口１９が側部１０の背面側に設けられていて、放水口５２ａは、内底部２０における排水側の辺部とは反対側の辺部から形成された内壁部１２ｃに設けられ、放水口５２ａは排水口１９側に向けて設けられ、放水口５２ａの放水方向に排水口１９があるので、放水口５２ａから放水された水を排水しやすくしている。
【０１３０】
また、第３導水部（排水用導水部）５６は、図７、図９、図１２等に示すように構成され、第３導水部５６は、第３導水部本体５８と、第３導水部本体５８の端部に設けられた管部５９とを有している。第３導水部５６は、内底部２０の排水側の辺部（内壁部１８ｃ側の辺部）に流れた水を足のせ装置５の外部に流すための導水部である。
【０１３１】
第３導水部本体５８は、後側部１８内に後側部１８の長手方向に沿って直線状に設けられ（つまり、外壁部１８ａと内壁部１８ｃの間の空間に後側部１８の長手方向に沿って直線状に設けられている）、一対の互いに平行な縦板部５８ａ、５８ｂと、縦板部５８ａの下端と縦板部５８ｂの下端の間に設けられた半円筒部５８ｃと、縦板部５８ａの左側部１６側の端部と縦板部５８ｂの左側部１６側の端部と半円筒部５８ｃの左側部１６側の端部の間に設けられた左板部５８ｄとを有している。縦板部５８ａ、５８ｂの上端の高さは、内底部２０の上面の高さとなっている。つまり、半円筒状部５８ｃは、断面略半円弧状を呈し、左側面側から右側面側にいくに従い下方となるように傾斜しており、これに合わせて、縦板部５８ａ、５８ｂの下辺は、左側面側から右側面側に行くに従い下方となるように傾斜し（つまり、縦板部５８ａ、５８ｂの上下方向の長さは、右側面側にいくほど長くなる）、第３導水部５８に至った水は、右側面側に流れていく。第３導水部本体５８は、内底面２０上を流れてきた水を後側部１８の長手方向に沿って流す樋としての機能を有している。
【０１３２】
また、管部５９は、第３導水部本体５８の右側面側の端部から連設され、円筒状を呈し、半円筒状部５８ｃの上面が、管部５９の内周面に連なっている。管部５９は、水平方向に形成され、右側部１４の外壁部１４ａを挿通して右側部１４の外部に露出している。
【０１３３】
この第３導水部５６により、内底面２０上を流れてきた水が足のせ装置５の外部に排出される。
【０１３４】
上記第１導水部３０、第２導水部５０、第３導水部５６を構成する各部の材質としては、例えば、ステンレス等の金属や、ＦＲＰ、ＣＦＲＰ等の強化プラスチックが挙げられる（後述の足のせ装置５’における第１導水部３０、第２導水部５０、第３導水部５６についても同じ）。
【０１３５】
次に、ノズル（放水体）６０は、接続部４２に取り付けられるものであり、略円柱状のノズル本体（放水体本体）６１と、ノズル本体６１の下端から連設された取付部６８とを有している。足のせ装置５には、複数（多数としてもよい）のノズル６０が設けられている。
【０１３６】
ここで、ノズル本体６１は、円環状の平板状を呈する底面部６２と、底面部６２の外周から上方に立設した円筒状の側面部６４と、側面部６４の上端から連設された平板状の上面部６６とを有し、上面部６６には、水を放水するための複数の穴部６６ａが設けられている。なお、上面部６６の外周端は、水が側面部６４側に流れやすいように面取りされている。また、底面部６２は、円環状を呈していて、中心に穴部が設けられている。
【０１３７】
また、取付部６８は、底面部６２から下方に連設された略円筒状を呈し、その外周面には、接続部本体４４と螺合するためのねじ溝が形成されている。取付部６８の外径は、ノズル本体６１の外径よりも小さく形成され、取付部６８の内径は、底面部６２の穴部の内径と同一であり、底面部６２の内周面と取付部６８の内周面は連続している。
【０１３８】
ノズル６０は、取付部６８を接続部４２の円筒状部４４ａにねじ込んで螺着することにより、接続部４２に取り付けられ、ノズル６０を接続部４２に取り付けた状態では、ノズル６０は、内底部２０から上方に突出した突起状を呈する。つまり、ノズル６０を接続部４２に取り付けた状態では、ノズル６０の上端が内底部２０の上面よりも上方にある状態となっている。
【０１３９】
ノズル６０においては、上面部６６が平板状であるが、穴部６６ａが複数設けられているので、上面部６６の上面や側面部６４の外面に万遍なく水を流すことができる。また、上面部６６の上面が平面状であるので、利用者が、ノズル６０の上に安定して乗ることができる。
【０１４０】
また、ノズル６０においては、底面部６２が設けられているとしたが、取付部６８の径を側面部６４の径と同じとして、底面部６２の構成を省略してもよい。ただし、その場合には、接続部４２の円筒状部４４ａの径が大きくなり、副導水部本体３６における接続部４２を取り付けるための穴部も大きくなってしまうので、底面部６２を設けるのが好ましい。
【０１４１】
足のせ装置５に設けられたノズル６０においては、互いに隣接するノズル６０は、前後方向にも左右方向にも間隔を介して設けられていて、複数のノズル６０が、前後方向及び左右方向に列状に設けられている。つまり、前後方向には、８個のノズル６０が、間隔を介して列状に設けられ、左右方向には、１２個のノズル６０が間隔を介して列状に設けられている。これにより、前後方向にも左右方向にもノズル列が設けられているといえる。ノズル６０は、格子状に配設されていて、具体的には、ノズル６０は、格子状の直線に沿って設けられ、ノズル６０の平面視における中心が、格子状の直線の交点の位置となるように配設されているといえる。このようなノズルの配設態様は、ノズル６０以外のノズル（後述）についても適用される。なお、ノズル６０は、左右方向に１２個、前後方向に８個設けられているとしたが、これには限られない。
【０１４２】
なお、前後方向に列状に配設されたノズル６０からなるノズル列（前後方向ノズル列）が、左右方向に隣接するノズル列とは前後方向にずれて千鳥状に配設した構成としてもよい。つまり、あるノズル列におけるノズル６０の前後方向の位置は、左右方向に隣接する前後ノズル列における前後方向に隣接するノズル６０間の中間位置となる。このような千鳥状のノズルの配設態様は、ノズル６０以外のノズル（後述）について適用してもよい。
【０１４３】
ノズル６０は上記の態様で配設されているので、前後方向に並んだ１列のノズル６０をノズル列（前後方向ノズル列）とすると（前後方向に並んだ８個のノズル６０がノズル列を構成し、ノズル列は、複数のノズル（放水体）が列状に配設されて構成されている）、複数のノズル列が特定辺部と直角（略直角としてもよい）の方向（つまり、前後方向）に設けられ、１のノズル列におけるノズル６０と該１のノズル列に隣接するノズル列におけるノズル６０とは、特定辺部の方向（つまり、左右方向）に間隔を介して設けられているといえる。つまり、１の副導水部本体３６に設けられたノズル６０と該１の副導水部本体３６に隣接する副導水部本体３６に設けられたノズル６０とは、特定辺部の方向に間隔を介して設けられている。また、１の副導水部本体３６に設けられたノズル６０における隣接するノズル６０も、特定辺部と直角（略直角としてもよい）の方向（つまり、前後方向）に間隔を介して設けられている。
【０１４４】
次に、足のせ装置５に接続される制御システム（制御部）２００について説明する。制御システム２００は、図２に示すように、水圧を調整するための圧力調整弁２１０、２１２と、圧力調整弁２１０から送られた水の流れの開閉を行なう電磁弁（開閉手段）２１４と、圧力調整弁２１２から送られた水の流れの開閉を行なう電磁弁（第２開閉手段）２１６と、電磁弁２１４、２１６の動作を制御する制御装置２３０と、センサ２４０とを有している。なお、制御システム２００におけるセンサ２４０以外の構成は、利用者の邪魔にならないように、足のせ装置５から離れた場所に設けるのが好ましい。また、圧力調整弁２１０、２１２の上流には、例えば、貯水タンクに接続された送水ポンプが設けられ、水が圧力調整弁２１０、２１２に対して圧送され、圧送された水が、第１導水部３０や第２導水部５０に供給される。なお、圧力調整弁２１０、２１２の上流側に貯水タンクを設け、貯水タンクから水が圧力調整弁２１０、２１２に圧送されるようにしてもよい。
【０１４５】
圧力調整弁２１０と電磁弁２１４間には送水管３０２が設けられ、電磁弁２１４と管部３２−１間には送水管３０４が設けられて、送水管３００から送られた水は圧力調整弁２１０で水圧が調整され、管部３２−１への送水が、制御装置２３０により電磁弁２１４の開閉を制御することにより切換え制御される。
【０１４６】
ここで、送水管３００、３０２、３０４と、圧力調整弁２１０における流路や電磁弁２１４における流路とで、「本導水管３２に液体を送るための流路」が構成され、また、送水管３１０、３１２、３１４と、圧力調整弁２１２における流路や電磁弁２１６における流路とで、「第２導水部本体に液体を送るための流路」が構成される。
【０１４７】
同様に、圧力調整弁２１２と電磁弁２１６間には送水管３１２が設けられ、電磁弁２１６と管部５０−１間には送水管３１４が設けられて、送水管３１０から送られた水は圧力調整弁２１２で水圧が調整され、管部５０−１への送水が、制御装置２３０により電磁弁２１６の開閉を制御することにより切換え制御される。
【０１４８】
また、制御装置２３０は、小便器２５０に設けられたセンサ２４０と接続され、センサ２４０のオン・オフに応じて、電磁弁２１４、２１６の開閉の切換えを行なうものである。具体的には、制御装置２３０は、図１４に示すフローチャートに従い制御を行なう。なお、センサ２４０は、センサ２４０に人が接近したことを検知するものであり、人感センサにより構成され、例えば、赤外線を利用して、所定の検知領域における温度変化を検知することにより人の接近を検知する。なお、足のせ装置５は、図１に示すように、小便器２５０の近傍、具体的には、小便器２５０の利用時における足の配置位置を含む領域（具体的には、小便器の下方及び斜め前方（又は小便器の前方）の領域）に配置されるので、足のせ装置５のノズル６０が設けられている領域（側部１０よりも内側の領域）（ノズル配設領域）に足をのせる（足を置くとしてもよい（他においても同じ））（つまり、利用者の足をノズル６０の上にのせる）と、センサ２４０が人が接近したことを検知してオンとなり（つまり、利用者が検知される状態になり、センサ２４０の検知結果がオンとなる）、ノズル６０が設けられている領域から足を外して足のせ装置５から離れると、センサ２４０は、オフとなる（つまり、利用者が検知されない状態になり、センサ２４０の検知結果がオフとなる）。つまり、センサ２４０及び後述のセンサ２４０’は、ノズル６０の上に足をおいた利用者を検知するためのものである。
【０１４９】
このセンサ２４０は、小便器２５０に予め設けられた既設のセンサで、水を流すために用いるセンサであるが、該既設のセンサの代わりに別のセンサ２４０’としてもよい。
【０１５０】
なお、図１に示す小便器２５０は、壁に沿って設けられた背面部２５２と、背面部２５２の右側面側の端部から連設された右側面部２５４と、背面部２５２の左側面側の端部から連設された左側面部２５６と、右側面部２５４の正面側の端部の下端領域から連設され右正面部２５８と、左側面部２５６の正面側の端部の下端領域から連設され、右正面部２５８と連設された左正面部２６０と、背面部２５２と右側面部２５４と左側面部２５６と右正面部２５８と左正面部２６０から連設され、小便器２５０の底面を構成する底面部２６２と、背面部２５２と右側面部２５４と左側面部２５６から連設され、小便器２５０の上側に設けられた上面部２６４とを有しており、センサ２４０は、上面部２６４内に埋め込まれた状態で設けられている。また、センサ２４０’は、図１に示す例では、上面部２６４の上面に設けられている。なお、足のせ装置５は、小便器２５０の近傍、具体的には、小便器２５０の利用時における足の配置位置を含む領域に設けられるので、センサ２４０、２４０’は、足のせ装置５の近傍に設けられているといえる。
【０１５１】
なお、足のせ装置５と制御システム２００により、足のせシステム（足置きシステム、ステップシステム、小便器用ステップシステムとしてもよい）１が構成される。
【０１５２】
上記足のせシステム１の動作について、図１４等を使用して説明する。足のせ装置５は、小便器２５０の前方に設けられるが、足のせ装置５は平面視で長方形状を呈しているので、小便器の形状としては、図１に示すように、小便器が設置された状態では下方に空間が設けられている小便器に適用し、足のせ装置５の背面側の端部が壁面ＫＢに接する状態として、小便器２５０の下方及び斜め前方の領域に足のせ装置５を設けるのが好ましい。
【０１５３】
まず、図１４を使用して第１の方法を説明する。センサ２４０がオンになったか否かが常時判定され（Ｓ１１）、センサ２４０がオンになった場合には、制御装置２３０によりセンサ２４０がオンになったことが検知され、電磁弁２１４を開状態として、ノズル６０の穴部６６ａから放水する（Ｓ１２）。この電磁弁２１４が開状態となった時点が第１時点となる。
【０１５４】
そして、センサ２４０がオフになったか否かが判定され（Ｓ１３）、センサ２４０がオフになった場合には、電磁弁２１６を開状態として放水口５２ａから放水を行う（Ｓ１４）。つまり、センサ２４０により利用者の接近が検知される状態から利用者の接近が検知されない状態になった場合に、電磁弁２１６を開状態とする。なお、放水口５２ａから放水を行なう際にも、ノズル６０の穴部６６ａからの放水は継続する。
【０１５５】
そして、センサ２４０がオフになってから一定時間（予め定められた時間）（例えば、３０秒以下の一定時間（より具体的には、３〜１０秒））が経過したか否かが判定され（Ｓ１５）、該一定時間が経過した場合には（一定時間が経過した時点が第２時点となる）、電磁弁２１４と電弁２１６を閉状態にして、ノズル６０の穴部６６ａからの放水と放水口５２ａからの放水を停止する（Ｓ１６）。つまり、第２時点が経過した後に、電磁弁２１４、２１６を閉状態とする。
【０１５６】
具体的な使用態様としては、小便器２５０の利用者が足のせ装置５のノズル配設領域に足をのせる（つまり、ノズルの上に足をおく）と、センサ２４０がオンとなり電磁弁２１４が開状態となって、ノズル６０の穴部６６ａから水が放水される（Ｓ１１、Ｓ１２）。よって、足のせ装置５の利用者が排尿をする時には、すでにノズル６０の穴部６６ａから水が出ているので、ノズル６０の表面に尿が付着しても穴部６６ａから流れる水により尿はノズル６０の表面から洗い流される。
【０１５７】
なお、穴部６６ａからの水は下方から出るので、利用者の靴等の履き物の下側にあるノズル６０からの水は、履き物の底に当たるので、履き物の底面が濡れるのみであり、利用者の足が濡れてしまうことはない。また、履き物の底面により穴部６６ａが塞がれたノズル６０からは水は出ない（つまり、あるノズル６０における複数の穴部６６ａが全て塞がれた場合には、当該ノズル６０からは水は出ない）が、当該ノズル６０の上方には履き物があり、尿が付着するおそれがないので、当該ノズル６０が汚れるおそれはない。
【０１５８】
そして、利用者が排尿を完了して、足のせ装置５から離れると、センサ２４０がオフとなり、電磁弁２１６が開状態となって、放水口５２ａから放水が行われる（Ｓ１３、Ｓ１４）。これにより、放水口５２ａから出た水は、ノズル６０の穴部６６ａから出た水とともに内底部２０の上面を排出口１９側に流れる。よって、内底部２０上に落ちた尿は、放水口５２ａからの水や穴部６６ａからの水により洗い流される。なお、穴部６６ａからの水には、ノズル６０に付着した尿も含まれているので、ノズル６０に付着した尿も内底部２０上を流れる水とともに排出口１９側に流される。また、放水口５２ａからの水によりノズルの側面も洗い流すことができる。つまり、ノズル６０の穴部６６ａから流出した水や、放水口５２ａから放水された水は、内底部２０の上面を流れて内底部２０の排水側に移動する。
【０１５９】
そして、センサ２４０がオフになってから一定時間が経過したら、電磁弁２１４、２１６が閉状態となり、ノズル６０の穴部６６ａからの放水と放水口５２ａからの放水が停止される（Ｓ１５、Ｓ１６）。これにより、利用者の排尿後であっても、利用者の足をのせる領域（足を置く領域としてもよい（他においても同じ））（特に、ノズル）を洗浄することができるとともに、内底部の汚れを洗い流すことができる。
【０１６０】
以上のようにして、排尿中（つまり、足のせ装置５（特に、ノズル）に足をのせた状態）及び排尿直後にはノズル６０の穴部６６ａから水が出るので、足をのせる領域（特に、ノズル６０）を洗浄することができ、さらに、排尿直後には放水口５２ａからも水が出るので、内底部２０も洗浄することができる。つまり、ノズル６０の穴部６６ａからの水は下方から出るため、それほど水圧を高くしたり、水量を多くすることはできず、放水口５２ａからの放水が行われないと、ノズル６０を洗浄した水に含まれる尿や内底部２０に付着した尿が内底部２０上に残ってしまうが、放水口５２ａから放水されるのでそのようなおそれがない。なお、利用者が足のせ装置５から離れてから放水口５２ａから放水が行われるので、放水量が比較的多くても利用者の足を濡らすことがない。
【０１６１】
なお、上記の説明においては、放水口５２ａからの放水は、センサ２４０がオフになったタイミングとしたが、ノズル６０の穴部６６ａからの放水のタイミングと同じにしてもよい。すなわち、第２の方法として図１５に示すように、センサ２４０がオンになったか否かが常時判定され（Ｓ２１）、センサ２４０がオンになった場合には、制御装置２３０によりセンサ２４０がオンになったことが検知され、電磁弁２１４を開状態として、ノズル６０の穴部６６ａが放水するとともに、電磁弁２１６を開状態として、放水口５２ａから放水する（Ｓ２２）。この電磁弁２１４、２１６が開状態となった時点が第１時点となる。つまり、センサ２４０により利用者の接近が検知された場合には、電磁弁２１６を開状態とする。なお、利用者が足のせ装置５に乗っている状態で放水口５２ａから放水を行なうので、放水口５２ａからの水量は利用者の足を濡らさない程度にする必要がある。
【０１６２】
そして、センサ２４０がオフになったか否かが判定され（Ｓ２３）、センサ２４０がオフになった場合には、センサ２４０がオフになってから一定時間（予め定められた時間）（例えば、３０秒以下の一定時間（より具体的には、３〜１０秒））が経過したか否かが判定され（Ｓ２４）、該一定時間が経過した場合には（一定時間が経過した時点が第２時点となる）、電磁弁２１４と電弁２１６を閉状態にして、ノズル６０の穴部６６ａからの放水と放水口５２ａからの放水を停止する（Ｓ２５）。つまり、第２時点が経過した後に、電磁弁２１４、２１６を閉状態とする。これにより、利用者の排尿後であっても、利用者の足をのせる領域（特に、ノズル）を洗浄することができるとともに、内底部の汚れを洗い流すことができる。
【０１６３】
図１５に示す場合には、放水口５２ａからの放水のタイミングが図１４の場合に比べて早く、放水口５２ａからの放水による洗浄を早めに行っているので、放水口５２ａからの放水時間を同じにすると仮定した場合には、図１４の場合よりも放水口５２ａからの放水を早く終了させることができる。
【０１６４】
以上のようにして、排尿中（つまり、足のせ装置５（特に、ノズル）に足をのせた状態）及び排尿直後にはノズル６０の穴部６６ａから水が出るので、足をのせる領域（特に、ノズル６０）を洗浄することができ、さらに、排尿中及び排尿直後には放水口５２ａからも水が出るので、内底部２０やノズル６０の側面も洗浄することができる。特に、排尿中の段階から放水口５２ａから放水されるので、内底部２０の汚れを即座に洗い流すことができる。
【０１６５】
なお、図１４、図１５に示す方法においては、ノズル６０の穴部６６ａからの放水の停止と放水口５２ａからの放水の停止を同じタイミングで行っているが、ノズル６０の穴部６６ａからの放水の終了をセンサ２４０がオフとなったタイミングで行い、その後、一定時間経過してから、放水口５２ａからの放水を停止してもよい（第３の方法）。
【０１６６】
また、上記の第１〜第４の各方法においては、センサ２４０がオンになったタイミングでノズル６０の穴部６６ａや放水口５２ａからの放水を行なっているが、センサ２４０がオンになってから一定時間経過後に放水を行なうようにしてもよい（第４の方法）。
【０１６７】
なお、図１４に示す方法においては、ノズル６０の穴部６６ａからの放水は、センサ２４０がオンになったタイミングとしているのに対して、放水口５２ａの放水のタイミングと同じとする（すなわち、センサ２４０がオンからオフになった場合に、ノズル６０の穴部６６ａと放水口５２ａから水を出す）ことも考えられるが、穴部６６ａからの放水は排尿中（つまり、センサ２４０がオフになる前）に行なうのが好ましい。
【０１６８】
また、足のせシステム１の応用例として、放水口５２ａからの放水量を足のせ装置５上に足が載っているか否かによって変化させて、放水口５２ａからの水により履き物が濡れるのを防止するようにしてもよい。
【０１６９】
すなわち、足のせシステム（ステップシステムとしてもよい）１’における制御システム２００’は、図１６に示すように構成され、図２に示す足のせシステム１と略同様の構成であるが、足のせシステム１の構成に加えて、電磁弁２１７と圧力調整弁２１３がさらに設けられている点が異なる。
【０１７０】
すなわち、制御システム２００’は、水圧を調整するための圧力調整弁２１０、２１２、２１３と、圧力調整弁２１０から送られた水の流れの開閉を行なう電磁弁２１４と、圧力調整弁２１２から送られた水の流れの開閉を行なう電磁弁（第２開閉手段）２１６と、圧力調整弁２１３から送られた水の流れの開閉を行なう電磁弁（第３開閉手段）２１７と、電磁弁２１４、２１６、２１７の動作を制御する制御装置２３０と、センサ２４０とを有している。
【０１７１】
圧力調整弁２１２と電磁弁２１６間には送水管３１２が設けられ、電磁弁２１６と管部５０−１間には送水管３１４が設けられて、送水管３１０から送られた水は圧力調整弁２１２で水圧が調整され、管部５０−１への送水が、制御装置２３０により電磁弁２１６の開閉を制御することにより切換え制御される。
【０１７２】
また、圧力調整弁２１３と電磁弁２１７間には送水管３２２が設けられ、電磁弁２１７と送水管３１４間には送水管３２４が設けられて、送水管３２０から送られた水は圧力調整弁２１３で水圧が調整され、管部５０−１への送水が、制御装置２３０により電磁弁２１７の開閉を制御することにより切換え制御される。なお、送水管３２４は、送水管３１４における電磁弁２１６から管部５０−１までの途中位置で送水管３１４に合流するようになっている。
【０１７３】
なお、制御システム２００’におけるセンサ２４０以外の構成は、利用者の邪魔にならないように、足のせ装置５から離れた場所に設けるのが好ましい。また、圧力調整弁２１０、２１２、２１３の上流には、送水ポンプが設けられ、水が圧力調整弁２１０、２１２、２１３に対して圧送され、圧送された水が、第１導水部３０や第２導水部５０に供給される。
【０１７４】
ここで、送水管３００、３０２、３０４と、圧力調整弁２１０における流路や電磁弁２１４における流路とで、「本導水管３２に液体を送るための流路」が構成され、また、送水管３１０、３１２、３１４と、圧力調整弁２１２における流路や電磁弁２１６における流路とで、「第２導水部本体に液体を送るための流路である第２流路」が構成され、また、送水管３２０、３２２、３２４と、圧力調整弁２１３における流路や電磁弁２１７における流路とで、「第２導水部本体に液体を送るための流路である第３流路」が構成される。
【０１７５】
また、図２に示す足のせシステム１の場合と同様に、圧力調整弁２１０と電磁弁２１４間には送水管３０２が設けられ、電磁弁２１４と管部３２−１間には送水管３０４が設けられて、送水管３００から送られた水は圧力調整弁２１０で水圧が調整され、管部３２−１への送水が、制御装置２３０により電磁弁２１４の開閉を制御することにより切換え制御される。
【０１７６】
また、制御装置２３０は、小便器２５０に設けられたセンサ２４０と接続され、センサ２４０のオン・オフに応じて、電磁弁２１４、２１６、２１７の開閉の切換えを行なうものである。具体的には、制御装置２３０は、図１７に示すフローチャートに従い制御を行なう。なお、センサ２４０は、図２に示す足のせシステム１の場合と同様に、小便器２５０に人が接近したことを検知するものであり、人感センサにより構成され、例えば、赤外線を利用して、所定の検知領域における温度変化を検知することにより人の接近を検知する。なお、足のせ装置５は、図１に示すように、小便器２５０の利用時における足の配置位置を含む領域（具体的には、小便器の下方及び斜め前方（又は小便器の前方）の領域）に配置されるので、足のせ装置５のノズル６０が設けられている領域（側部１０よりも内側の領域）（ノズル配設領域）に足をのせる（つまり、利用者の足をノズル６０の上にのせる）と、センサ２４０が人が接近したことを検知してオンとなり、ノズル６０が設けられている領域から足を外して足のせ装置５から離れると、センサ２４０は、オフとなる。      
【０１７７】
このセンサ２４０は、小便器２５０内に水を流すための既設のセンサを用いてもよいし、該既設のセンサとは別に設けたものであってもよい。
【０１７８】
上記足のせシステム１’の動作について、図１７を使用して説明すると、センサ２４０がオンになったか否かが常時判定され（Ｓ３１）、センサ２４０がオンになった場合には、制御装置２３０によりセンサ２４０がオンになったことが検知され、電磁弁２１４を開状態として、ノズル６０の穴部６６ａが放水するとともに、少量モードで放水口５２ａから放水する（Ｓ３２）。すなわち、電磁弁２１６を開状態として、送水管３１０からの水を管部５０−１を介して送水し、各放水口５２ａから放水する。この電磁弁２１４、２１６が開状態となった時点が第１時点となる。なお、電磁弁２１７は閉状態のままとし、送水管３２０からの水は放水されず、送水管３１０からの水だけを放水口５２ａから放水する。この少量モードにおける放水口５２ａからの放水量は、利用者の足を濡らさない程度の量とする。なお、この少量モードの場合に、電磁弁２１６を開状態とし電磁弁２１７を閉状態とするとしたが、電磁弁２１６を閉状態とし電磁弁２１７を開状態としてもよい。
【０１７９】
そして、センサ２４０がオフになったか否かが判定され（Ｓ３３）、センサ２４０がオフになった場合には、放水口５２ａから大量モードで放水する（Ｓ３４）。すなわち、電磁弁２１６のみならず、電磁弁２１７も開状態として、送水管３１０からの水と送水管３２０からの水を管部５０−１を介して送水し、各放水口５２ａから放水する。つまり、センサ２４０により利用者の接近が検知される状態から利用者の接近が検知されない状態になった場合に、電磁弁２１６を開状態としたまま、電磁弁２１７を開状態にする。
【０１８０】
そして、センサ２４０がオフになってから一定時間（例えば、３０秒以下の一定時間（予め定められた時間）（より具体的には、３〜１０秒））が経過したか否かが判定され（Ｓ３５）、該一定時間が経過した場合には、電磁弁２１４と電磁弁２１６と電磁弁２１７を閉状態にして、ノズル６０の穴部６６ａからの放水と放水口５２ａからの放水を停止する（Ｓ３６）。つまり、第２時点が経過した後に、電磁弁２１４、２１６、２１７を閉状態とする。
【０１８１】
このように、少量モードで放水することにより、排尿中の段階から放水口５２ａから放水されるので、内底部２０の汚れを即座に洗い流すことができる。また、大量モードで放水することにより、足のせ装置５を十分洗浄することができる。特に、放水口５２ａからの水は前後方向に流れるために、前後方向に隣接するノズル６０間の間隔（隙間）については、放水口５２ａからの水が届きにくく、放水口５２ａの水量が少ない場合に、放水口５２ａからの水によってはノズル６０の正面側の側面や背面側の側面を十分洗浄できないおそれがあり（つまり、ノズル６０の穴部６６ａからの水でノズル６０の側面を洗浄できるものの、放水口５２ａからの水ではノズル６０の正面側の側面や背面側の側面を洗浄しにくい）、また、右側部１４の内側面１４ｃや左側部１６の内側面１６ｃについても、放水口５２ａからの水が届きにくいため、放水口５２ａの水量が少ない場合に、内側面１４ｃ、１６ｃを十分洗浄できないおそれがあるが、上記のように、大量モードで放水口５２ａから放水することにより、それらを十分洗浄することができる。
【０１８２】
また、足のせ装置５には足が載っていないので、大量モードで放水をしても、履き物の側面が濡れてしまうことがない。特に、足のせ装置５に足が載った状態で、放水口５２ａから大量に放水が行われると、履き物の踵側の側面が濡れる可能性があり、サンダルのような踵側の側面がない履き物の場合には、履き物の内側の足自体が濡れてしまうおそれがあるが、本実施例ではそのようなおそれがない。
【０１８３】
なお、図１７に示す方法においては、ノズル６０の穴部６６ａからの放水の停止と放水口５２ａからの放水の停止を同じタイミングで行っているが、ノズル６０の穴部６６ａからの放水の終了をセンサ２４０がオフとなったタイミングで行い、その後、一定時間経過してから、放水口５２ａからの放水を停止してもよい（第３の方法）。
【０１８４】
また、図１７に示す方法においては、センサ２４０がオンになったタイミングでノズル６０の穴部６６ａや放水口５２ａからの放水を行なっているが、センサ２４０がオンになってから一定時間経過後に放水を行なうようにしてもよい（第４の方法）。
【０１８５】
なお、上記の説明においては、制御システム２００にセンサ２４０が設けられ、センサ２４０の検知結果に従い制御装置２３０が電磁弁の開閉を制御するとして説明したが、センサ２４０の代わりに手動の入力装置（操作手段）２４１を設け、入力装置２４１により入力を行なうことにより電磁弁２１４（開閉手段）や電磁弁２１６（第２開閉手段）を開閉するものとしてもよい。
【０１８６】
すなわち、制御システム２００のセンサ２４０の代わりに入力装置２４１を設けた場合の足のせシステム（ステップシステムとしてもよい）１’’における制御システム２００’’は、図１８に示すように構成され、入力装置２４１は、例えば、押しボタン式の入力装置により構成される。そして、小便器の利用者が入力装置２４１における押しボタンを押すことによりオン操作すると、制御装置２３０は、オン操作されたことを検知し、電磁弁２１４、２１６を開状態とする。これにより、水がノズル６０の穴部６６ａから放水されるとともに、放水口５２ａから放水が行われる。よって、排尿直前又は排尿中に押しボタンを押すことにより、排尿中（つまり、足のせ装置５（特に、ノズル）に足をのせた状態）でも足をのせる領域を洗浄することができるとともに、内底部の汚れを洗い流すことができる。
【０１８７】
なお、電磁弁２１４と電磁弁２１６を開状態にするタイミングは、電磁弁２１４と電磁弁２１６を同時に開状態にしてもよいし、電磁弁２１４を開状態にした後に電磁弁２１６を開状態にしてもよい。また、電磁弁２１４と電磁弁２１６を開状態から閉状態にするタイミングは、電磁弁２１４と電磁弁２１６を同時に閉状態にしてもよいし、電磁弁２１４を閉状態にした後に電磁弁２１６を閉状態にしてもよい。電磁弁２１６を開状態にするタイミングを電磁弁２１４を開状態にするタイミングよりも後にする場合には、電磁弁２１４を開状態にするタイミングから電磁弁２１６を開状態にするタイミングまでの時間は、例えば、利用者が足のせ装置５の上に乗っている平均的な時間を予め算出して設定しておく。また、電磁弁２１４を開状態にするタイミングから電磁弁２１４を閉状態にするタイミングまでの時間は、例えば、該設定した時間よりも一定時間（３０秒以下の時間（例えば、３〜１０秒））長い時間とする。
【０１８８】
また、手動による操作を行なう場合に、制御装置により電磁弁を開閉するのではなく、従来から小便器に用いられるフラッシュバルブを用いてノズル６０の穴部６６ａと放水口５２ａから放水する構成としてもよい。
【０１８９】
すなわち、フラッシュバルブを用いる場合の足のせシステム（ステップシステムとしてもよい）１’’’は、図１９、図２０に示すように構成され、送水管３３０がフラッシュバルブ４００の入口側に接続されるとともに、送水管３３２がフラッシュバルブ４００の出口側に接続され、送水管３３２は、途中で２つに分岐して、一方が圧力調整弁２１０に接続され、他方が圧力調整弁２１２に接続され、さらに、管部３２−１と圧力調整弁２１０間に送水管３３４が接続され、管部５０−１と圧力調整弁２１２間に送水管３３６が接続されている。圧力調整弁２１０、２１２は、ノズル６０の穴部６６ａから放水される水の圧力と放水口５２ａから放水される水の圧力を調整するためのものであるが、フラッシュバルブ４００の存在により特に圧力の調整が必要ない場合には、圧力調整弁２１０、２１２を省略してもよい。
【０１９０】
フラッシュバルブ４００は、従来から小便器に用いられているフラッシュバルブであり、図２０に示すように構成され、本体部４０５内にピストン部４１０が設けられ、ピストン部４１０は、主弁４１２と主弁４１２内に設けられた起動弁４２０とを有し、押しボタン４３０が押されて押し棒４３２が前進すると、ピストン部４１０内に設けられた起動弁４２０が押されて傾き、水室４４０内の水が主弁４１２に設けられた水孔４１４を通って下方（送水管３３２側）に流出し、水室４４０内の水が抜けると、水室４４０が真空状態になるため、送水管３３０からの水の水圧により主弁４１２が上昇して、水路が開き送水管３３０からの水が送水管３３２側に流れる。そして、主弁４１２の外周側に設けられた小孔４１６から水室４４０内に水が充満されると、主弁４１２が下降して本体部４０５の座部４０６と当接して水路が閉じられる。
【０１９１】
ここで、ピストン部４１０は、本導水部３２や第２導水部５０に水を送るための流路を開閉する開閉手段に当たり、押しボタン４３０は、開閉手段を開状態にする操作を行なう操作手段に当たる。つまり、開閉手段が本導水部に液体を送るための流路（つまり、送水管３３０と送水管３３２からなる流路）を開閉し、操作手段における開閉手段を開状態にする操作により開閉手段が開状態とされ、また、開閉手段が本導水部と第２導水部本体に液体を送るための流路（つまり、送水管３３０と送水管３３２からなる流路）を開閉し、操作手段における開閉手段を開状態にする操作により開閉手段が開状態とされる。
【０１９２】
足のせシステム１’’’は上記のように構成されているので、フラッシュバルブ４００の押しボタンが押されると、ノズル６０の穴部６６ａと放水口５２ａから放水され、フラッシュバルブ４００により決定される一定時間が経過すると、ノズル６０の穴部６６ａと放水口５２ａからの放水が停止する。よって、排尿直前又は排尿中に押しボタンを押すことにより、排尿中（つまり、足のせ装置５（特に、ノズル）に足をのせた状態）でも足をのせる領域を洗浄することができるとともに、内底部の汚れを洗い流すことができる。
【０１９３】
次に、ノズルの他の例について説明する。すなわち、ノズル６０の代わりに、以下に説明するノズル（放水体）７０、８０、１００、１２０のいずれかを用いてもよい。なお、ノズル６０、７０、８０、１００、１２０を構成する各部の材質としては、鉄などの金属や、ＦＲＰ、ＣＦＲＰ等の強化プラスチックが挙げられる（足のせ装置５’におけるノズルについても同じ）。なお、これらのノズルの場合でも、ノズルの配設態様はノズル６０の場合と同様であり、例えば、ノズルが前後方向及び左右方向に間隔を介して列状に設けられ、複数のノズル列（前後方向ノズル列）が前後方向に設けられ、１のノズル列におけるノズル６０と該１のノズル列に隣接するノズル列におけるノズル６０とは、左右方向に間隔を介して設けられる。
【０１９４】
まず、ノズル（放水体）７０は、図２１に示すように構成され、ノズル６０と略同様の構成であるが、上面部の構成が異なる。すなわち、ノズル７０は、略円柱状のノズル本体７１と、ノズル本体（放水体本体）７１の下端から連設された取付部７８とを有している。
【０１９５】
ここで、ノズル本体７１は、円環状の平板状を呈する底面部７２と、底面部７２の外周から上方に立設した円筒状の側面部７４と、側面部７４の上端から連設された上面部７６とを有し、上面部７６は、上方に向けて湾曲した曲面状の板状を呈し、具体的には、球面の一部の形状の板状を呈していて、その頂部には、水を放水するための穴部７６ａが設けられている。また、底面部６２は、円環状を呈していて、中心に穴部が設けられている。
【０１９６】
また、取付部７８は、底面部７２から下方に連設された略円筒状を呈し、その外周面には、接続部本体４４と螺合するためのねじ溝が形成されている。取付部７８の外径は、ノズル本体７１の外径よりも小さく形成され、取付部７８の内径は、底面部７２の穴部の内径と同一であり、底面部７２の内周面と取付部７８の内周面は連続している。
【０１９７】
ノズル７０は、取付部７８を接続部４２の円筒状部４４ａにねじ込んで螺着することにより、接続部４２に取り付けられ、ノズル７０を接続部４２に取り付けた状態では、ノズル７０は、内底部２０から上方に突出した突起状を呈する。つまり、ノズル７０を接続部４２に取り付けた状態では、ノズル７０の上端が内底部２０の上面よりも上方にある状態となっている。
【０１９８】
ノズル７０においては、穴部７６ａが１つのみ設けられているが、上面部７６が曲面状を呈するので、上面部７６の上面や側面部７４の外面に万遍なく水を流すことができる。
【０１９９】
また、ノズル７０においては、底面部７２が設けられているとしたが、取付部７８の径を側面部７４の径と同じとして、底面部７２の構成を省略してもよい。ただし、その場合には、接続部４２の円筒状部４４ａの径が大きくなり、副導水部本体３６における接続部４２を取り付けるための穴部も大きくなってしまうので、底面部７２を設けるのが好ましい。
【０２００】
次に、ノズル（放水体）８０は、図２２に示すように構成され、ノズル６０と略同様の構成であるが、ノズル本体の構成が異なる。すなわち、ノズル８０は、略円柱状のノズル本体（放水体本体）８１と、ノズル本体８１の下端から連設された取付部８８とを有している。
【０２０１】
ここで、ノズル本体８１は、円環状の平板状を呈する底面部８２と、底面部８２の外周から上方に立設した円筒状の側面部８４と、側面部８４の上端から連設された上面部８６とを有し、上面部８６は、上方に向けて湾曲した曲面状の板状を呈し、具体的には、球面の一部の形状の板状を呈していて、その頂部には、水を放水するための穴部８６ａが設けられている。また、ノズル本体８１の表面には、複数（具体的には、８本）の溝部９０ａ〜９０ｈが設けられている。溝部９０ａ〜９０ｈは、穴部８６ａから放水された水が内底部２０へ流れやすくするためのもので、各溝部９０ａ〜９０ｈは、上面部８６の穴部８６ａよりも外側の位置から側面部８４の下端位置まで連続的に形成されている。つまり、上面部８６においては、各溝部９０ａ〜９０ｈは、穴部８６ａよりも外側の位置から周縁部まで半径方向に沿って直線状に形成され、側面部８４においては、各溝部９０ａ〜９０ｈは、側面部８４の上端位置から下端位置まで上下方向（底面部８２の下面に対して直角の方向）母線方向に沿って直線状に形成されている。つまり、溝部９０ａ〜９０ｈは、上面部８６上では、穴部８６を中心とした放射状に配列され、側面部８４では、各溝部９０ａ〜９０ｈは、側面部８４の周方向に間隔を介して配列されている。また、底面部８２は、円環状を呈していて、中心に穴部が設けられている。
【０２０２】
また、取付部８８は、底面部８２から下方に連設された略円筒状を呈し、その外周面には、接続部本体４４と螺合するためのねじ溝が形成されている。取付部８８の外径は、ノズル本体８１の外径よりも小さく形成され、取付部８８の内径は、底面部８２の穴部の内径と同一であり、底面部８２の内周面と取付部８８の内周面は連続している。
【０２０３】
ノズル８０は、取付部８８を接続部４２の円筒状部４４ａにねじ込んで螺着することにより、接続部４２に取り付けられ、ノズル８０を接続部４２に取り付けた状態では、ノズル８０は、内底部２０から上方に突出した突起状を呈する。つまり、ノズル８０を接続部４２に取り付けた状態では、ノズル８０の上端が内底部２０の上面よりも上方にある状態となっている。
【０２０４】
また、ノズル８０においては、穴部８６ａが１つのみ設けられているが、上面部８６が曲面状を呈するので、上面部８６の上面や側面部８４の外面に万遍なく水を流すことができる。
【０２０５】
また、ノズル８０においては、底面部８２が設けられているとしたが、取付部８８の径を側面部８４の径と同じとして、底面部８２の構成を省略してもよい。ただし、その場合には、接続部４２の円筒状部４４ａの径が大きくなり、副導水部本体３６における接続部４２を取り付けるための穴部も大きくなってしまうので、底面部８２を設けるのが好ましい。
【０２０６】
また、ノズル６０、７０、８０において、穴部６６ａ、７６ａ、８６ａは、上面部６６、７６、８６に設けられているとしたが、側面部６４、７４、８４に設けられるものとしてもよいが、側面部６４、７４、８４に穴部を設けた場合には、ノズル６０、７０、８０の穴部からの水によりノズルの上端の汚れを洗い流すことができないので、穴部はノズルの上面部（つまり、ノズルの上面、特に、ノズルの上端）に設けるのが好ましい。
【０２０７】
次に、ノズル（放水体）１００は、図２３に示すように構成され、ノズル６０、７０、８０とは、ノズル本体の構成が異なる。すなわち、ノズル１００は、固定部１０１−１と、固定部１０１−１に内装され固定部１０１−１に対して上下方向に移動可能な移動部１０１−２とを有している。
【０２０８】
ここで、固定部１０１−１は、接続部４２に接続する取付部１１６と、取付部１１６の上端から連設され、円環状の平板状を呈する底面部１０２と、底面部１０２の外周から上方に立設した円筒状の側面部１０４と、側面部１０４の内周面における下端から上端までの途中位置に設けられた円環状部（環状部）１０６と、側面部１０４の内周面における下端から上端までの途中位置で環状部１０６よりも上方の位置から側面部１０４の中心軸側に向かって突出した複数（具体的には、４個）の突状部１０８ａ〜突状部１０８ｄとを有している。
【０２０９】
ここで、取付部１１６は、底面部１０２から下方に連設された略円筒状を呈し、その外周面には、接続部本体４４と螺合するためのねじ溝が形成されている。
【０２１０】
また、底面部１０２は、円環状を呈していて、中心に穴部１０２ａが設けられている。底面部１０２の外径は、取付部１１６の外径よりも大きく形成され、穴部１０２ａの内径は、取付部１１６の内径と同一であり、底面部１０２の内周面と取付部１１６の内周面は連続している。また、側面部１０４においては、上端の外側の角部が面取りされた形状となっている。
【０２１１】
また、円環状部１０６は、その外周が側面部１０４の内周面の周方向に沿った円環状の平板状を呈していて、中心に開口部１０６ａが設けられている。
【０２１２】
各突状部１０８ａ〜突状部１０８ｄは、側面部１０４の内周面の周方向に間隔を介して配列されている。つまり、各突状部１０８ａ〜突状部１０８ｄは、同一円周上に配列されていて、各突状部１０８ａ〜突状部１０８ｄは、その中心軸が側面部１０４の半径方向に沿った略方形の平板状を呈している。突状部１０８ａ〜突状部１０８ｄの先端側の辺部は、ノズル１００の平面視において、直線状を呈し、突状部１０８ａ〜突状部１０８ｄの先端面は、平面状を呈している。
【０２１３】
なお、固定部１０１−１において、取付部１１６以外の構成が固定部本体１０１−１Ａとなる。
【０２１４】
また、移動部１０１−２は、突状部１０８ａ〜突状部１０８ｄよりも上方に設けられた板状の上面部１１０と、上面部１１０の下面から下方に連設された円筒状の筒状部１１２と、筒状部１１２の下端に設けられた開閉蓋１１４とを有している。
【０２１５】
上面部１１０は、上方に向けて膨出して湾曲した曲面状の板状を呈し、具体的には、球面の一部の形状の板状を呈していて、その外形は円形を呈している。上面部１１０には、水を放水するための穴部１１０ａが設けられている。穴部１１０ａは、外側領域（上方からの透視において筒状部１１２よりも外側の領域）に設けられた穴部１１０ａ−１と中心領域（上方からの透視において筒状部１１２よりも内側の領域）に設けられた穴部１１０ａ−２とを有している。つまり、穴部１１０ａ−１、１１０ａ−２は、ノズル１００の上面に設けられている。
【０２１６】
筒状部（立設部）１１２は、その中心軸が側面部１０４の中心軸と重なる円筒状を呈し、筒状部１１２の外径は側面部１０４の内径よりも小さく形成され、筒状部１１２の外周面に各突状部１０８ａ〜１０８ｄの先端面が接触している。つまり、移動部１０１−２が固定部１０１−１に対して上下動する際には、突状部１０８ａ〜１０８ｄの先端面が筒状部１１２の外周面に接した状態となっている。また、筒状部１１２には、下方から突状部１０８ａ〜１０８ｄにおける互いに隣接する突状部間の隙間を流れた流水が筒状部１１２内に流入するための穴部１１２ａ〜１１２ｄが設けられている。
【０２１７】
また、筒状部１１２の上下方向の長さは、移動部１０１−２が上端位置（開閉蓋１１４が突状部１０８ａ〜１０８ｄに接する位置）にある場合に、上面部１１０の縁部が側面部１０４の内周面に接する長さとなっている。
【０２１８】
開閉蓋１１４は、その中心が筒状部１１２の中心軸と重なる円板状を呈し、各突状部１０８ａ〜１０８ｄと円環状部１０６との間に設けられている。開閉蓋１１４の直径は、筒状部１１２の外径及び円環状部１０６の内径（開口部１０６ａの直径）よりも大きく形成されている。つまり、開閉蓋１１４は、筒状部１１２からその遠心方向に突出していて、円環状部１０６の中心の開口部１０６ａを塞ぐことが可能な大きさを有している。また、開閉蓋１１４の直径は、突状部１０８ａ〜１０８ｄにおいて互いに対向する突状部間の隙間の長さよりも長く形成されていて、これにより、移動部１０１−２が上方に移動して上端位置に達した際に、開閉蓋１１４は、突状部１０８ａ〜１０８ｄの下面に接して移動部１０１−２が固定部１０１−１から抜け出ることがない。
【０２１９】
ノズル１００は、取付部１１６を接続部４２の円筒状部４４ａにねじ込んで螺着することにより、接続部４２に取り付けられ、ノズル１００を接続部４２に取り付けた状態では、ノズル１００は、内底部２０から上方に突出した突起状を呈する。つまり、ノズル１００を接続部４２に取り付けた状態では、ノズル１００の上端が内底部２０の上面よりも上方にある状態となっている。
【０２２０】
なお、上記の説明では、側面部１０４は円筒状であるとしたが、四角筒状等の筒状であればよく、円環状部１０６や底面部１０２の円環状でなくても、環状であればよく、また、開閉蓋１１４も開口部１０６ａを塞ぐことができれば円形の板状でなくてもよく、筒状部１１２も円筒状でなくても、筒状であればよい。
【０２２１】
このノズル１００によれば、電磁弁２１４が開状態となって、ノズル１００に水が供給されても、小便器２５０の利用者が載っているノズル１００からの放水が行われず、利用者が載っていないノズル１００だけから放水が行われるので、利用者が履き物の底を濡らすことがない。
【０２２２】
つまり、電磁弁２１４が閉状態でノズル１００への水の供給が行われていない場合には、図２４（ａ）に示すように、移動部１０１−２の開閉部１１４は、円環状部１０６の上に載置された状態で停止しており、一方、電磁弁２１４が開状態となって、ノズル１００への水の供給が行われると、図２４（ｂ）に示すように、移動部１０１−２は、開閉蓋１１４の下面（筒状部１１２側とは反対側の面）にかかる水圧により押されて上昇し、開閉蓋１１４と円環状部１０６の間に隙間が形成されると、該隙間から水が上昇し、突状部１０８ａ〜突状部１０８ｄにおける互いに隣接する突状部間の隙間を通って上面部１１０に到達し、上面部１１０の穴部１１０ａから流出する。なお、穴部１１０ａ−２からは、該隙間を通った水は筒状部１１２の穴部１１２ａ〜１１２ｄを通って流出し、穴部１１０ａ−１からは、該隙間を通った水はそのまま流出する。
【０２２３】
なお、上昇した移動部１０１−２は、開閉蓋１１４の上面における筒状部１１２から突出している部分である周縁領域部が突状部１０８ａ〜突状部１０８ｄの下面に当接した状態で停止して、図２４（ｂ）に示す状態となる。
【０２２４】
ノズル１００は上記のように構成されているので、利用者の足が乗っているノズル１００については、図２４（ｂ）の状態となって、水が上面部１１０の穴部１１０ａから流出するが、利用者が乗っているノズル１００においては、利用者の履き物の底により下方に押された上面部１１０、上面部１１０から垂下している筒状部１１２を介して、開閉蓋１１４が、図２４（ａ）に示すように、円環状部１０６に押し付けられ、円環状部１０６の穴部を覆う開閉蓋１１４が円環状部１０６に密着することにより、水の流路が閉塞され、流水は上面部１１０に到達せず、上面部１１０の穴部１１０ａからの放水が行われないので、利用者が履き物の底を濡らすことがない。また、開閉蓋１１４が円環状部１０６の上面に接して開口部１０６ａを閉じるので、水がノズル１００から流出するのを十分防止することができる。また、開閉蓋１１４の下端位置では、開閉蓋１１４が円環状部１０６の上面に接しているので、足がノズル１００の上に乗ることにより、移動部１０１−２を下方に押しても、円環状部１０６により移動部１０１−２を支持することができる。
【０２２５】
なお、ノズル１００の製造に際しては、固定部１０１−１と移動部１０１−２を別々に製造しておき、移動部１０１−２を固定部１０１−１に上方から押し込むことにより突状部１０８ａ〜１０８ｄの弾性を利用して開閉蓋１１４を突状部１０８ａ〜１０８ｄの下側に位置させるようにしてもよい。また、移動部１０１−２の製造に際しては、開閉蓋１１４に穴部を形成するとともに、筒状部１１２の下端に該穴部に係合する爪部を設けて、開閉蓋１１４を筒状部１１２の下端に固着させるようにしてもよい。
【０２２６】
なお、上記の説明においては、底面部１０２と円環状部１０６が設けられているとしたが、円環状部１０６の位置に底面部１０２を設け、円環状部１０６を省略した構成としてもよい。このような構成でも、開閉蓋１１４が底面部１０２に接した状態では、底面部１０２の穴部１０２ａが塞がれるので、水が上面部１１０の穴部１１０ａから流出することがない。
【０２２７】
また、側面部１０４の外面に、ノズル８０における溝部９０ａ〜９０ｈと同様の溝部を縦方向に形成して、水が下方に流れやすくしてもよい。
【０２２８】
また、固定部１０１−１においては、底面部１０２が設けられているとしたが、取付部１１６の径を側面部１０４の径と同じとして、底面部１０２の構成を省略してもよい。ただし、その場合には、接続部４２の円筒状部４４ａの径が大きくなり、副導水部本体３６における接続部４２を取り付けるための穴部も大きくなってしまうので、底面部１０２を設けるのが好ましい。
【０２２９】
次に、ノズル（放水体）１２０は、図２５に示すように構成され、ノズル６０、７０、８０とは、取付部以外の構成が異なり、ノズル１００と略同様の構成であるが、主として、固定部の構成が異なる。
【０２３０】
すなわち、ノズル１２０は、略円柱状の固定部１２１−１と、固定部１２１−１に内装され固定部１２１−１に対して上下方向に移動可能な移動部１２１−２とを有している。
【０２３１】
ここで、固定部１２１−１は、接続部４２に接続する取付部１３６と、取付部１３６の上端から連設され、円環状の平板状を呈する底面部１２２と、底面部１２２の外周から上方に立設した円筒状の側面部１２４と、側面部１２４の内周面における下端から上端までの途中位置に設けられた円環状部（第２環状部）１２６と、円環状部１２６の上面における基端領域（側面部１２４側の領域）上に積重形成された円環状部（環状部）１２７と、側面部１２４の内周面における下端から上端までの途中位置で円環状部１２７よりも上方の位置から側面部１２４の中心軸側に向かって突出した複数（具体的には、４個）の突状部１２８ａ〜突状部１２８ｄとを有している。
【０２３２】
ここで、取付部１３６は、底面部１２２から下方に連設された略円筒状を呈し、その外周面には、接続部本体４４と螺合するためのねじ溝が形成されている。
【０２３３】
また、底面部１２２は、円環状を呈していて、中心に穴部１２２ａが設けられている。底面部１２２の外径は、取付部１３６の外径よりも大きく形成され、穴部１２２ａの内径は、取付部１３６の内径と同一であり、底面部１２２の内周面と取付部１３６の内周面は連続している。また、側面部１２４においては、上端の外側の角部が面取りされた形状となっている。
【０２３４】
また、円環状部１２６は、その外周が側面部１２４の内周面の周方向に沿った円環状の平板状を呈し、中心に開口部（第２開口部）１２６ａが設けられていて、円環状部１２７は、その外周が側面部１２４の内周面の周方向に沿った円環状の平板状を呈し、中心に円環状部１２６の穴部の直径よりも直径が大きな開口部１２７ａが設けられている。つまり、開口部１２６ａと開口部１２７ａは中心軸を共通にし、円環状部１２７の内径は、円環状部１２６の内径よりも大きく形成されている。以上のように、円環状部１２６と円環状部１２７とは隙間なく連設され、円環状部１２６と円環状部１２７とで段差が設けられた形状となっている。
【０２３５】
突状部１２８ａ〜突状部１２８ｄは、側面部１２４の内周面の周方向に間隔を介して配設されている。つまり、各突状部１２８ａ〜突状部１２８ｄは、同一円周上に配列されていて、各突状部１２８ａ〜突状部１２８ｄは、その中心軸が側面部１２４の半径方向に沿った略方形の平板状を呈している。突状部１２８ａ〜突状部１２８ｄの先端側の辺部は、ノズル１２０の平面視において、直線状を呈し、突状部１２８ａ〜突状部１２８ｄの先端面は、平面状を呈している。
【０２３６】
なお、固定部１２１−１において、取付部１３６以外の構成が固定部本体１２１−１Ａとなる。
【０２３７】
また、移動部１２１−２は、突状部１２８ａ〜突状部１２８ｄよりも上方に設けられた板状の上面部１３０と、上面部１３０の下面から下方に連設された円筒状の筒状部１３２と、筒状部１３２の下端に設けられた開閉蓋１３４とを有している。
【０２３８】
上面部１３０は、上方に向けて湾曲した曲面状の板状を呈し、具体的には、球面の一部の形状の板状を呈していて、その外形は円形を呈している。上面部１３０には、水を放水するための穴部１３０ａが設けられている。穴部１３０ａは、外側領域（上方からの透視において筒状部１３２よりも外側の領域）に設けられた穴部１３０ａ−１と中心領域（上方からの透視において筒状部１３２よりも内側の領域）に設けられた穴部１３０ａ−２とを有している。つまり、穴部１３０ａ−１、１３０ａ−２は、ノズル１２０の上面に設けられている。
【０２３９】
筒状部（立設部）１３２は、その中心軸が側面部１２４の中心軸と重なる円筒状を呈し、筒状部１３２の外径は側面部１２４の内径よりも小さく形成され、筒状部１３２の外周面に各突状部１２８ａ〜１２８ｄの先端面が接触している。つまり、移動部１２１−２が固定部１２１−１に対して上下動する際には、突状部１２８ａ〜１２８ｄの先端面が筒状部１３２の外周面に接した状態となっている。また、筒状部１３２には、下方から突状部１２８ａ〜１２８ｄにおける互いに隣接する突状部間の隙間を流れた流水が筒状部１３２内に流入するための穴部１３２ａ〜１３２ｄが設けられている。
【０２４０】
また、筒状部１３２の上下方向の長さは、移動部１２１−２が上端位置（開閉蓋１３４が突状部１２８ａ〜１２８ｄに接する位置）にある場合に、上面部１３０の縁部が側面部１２４の内周面に接する長さとなっている。
【０２４１】
開閉蓋１３４は、その中心が筒状部１３２の中心軸と重なる円板状を呈し、各突状部１２８ａ〜１２８ｄと円環状部１２６との間に設けられている。開閉蓋１３４の直径は、円環状部１２７の内径と略同一（厳密には、開閉蓋１３４が円環状部１２７の内周に沿って摺動可能なように円環状部１２７の内径よりも僅かに小さく）形成され、開閉蓋１３４は、円環状部１２７の開口部１２７ａ内に収納可能となっていて、また、開閉蓋１３４の直径は、筒状部１３２の外径及び円環状部１２６の内径（開口部１２６ａの直径）よりも大きく形成されている。つまり、開閉蓋１３４は、筒状部１３２からその遠心方向に突出していて、円環状部１２６の中心の開口部１２６ａを塞ぐことが可能な大きさを有している。また、開閉蓋１３４の直径は、突状部１２８ａ〜１２８ｄにおいて互いに対向する突状部間の隙間の長さよりも長く形成されていて、これにより、移動部１２１−２が上方に移動して上端位置に達した際に、開閉蓋１１４は、突状部１２８ａ〜１２８ｄの下面に接して移動部１２１−２が固定部１２１−１から抜け出ることがない。
【０２４２】
ノズル１２０は、取付部１３６を接続部４２の円筒状部４４ａにねじ込んで螺着することにより、接続部４２に取り付けられ、ノズル１２０を接続部４２に取り付けた状態では、ノズル１２０は、内底部２０から上方に突出した突起状を呈する。つまり、ノズル１２０を接続部４２に取り付けた状態では、ノズル１２０の上端が内底部２０の上面よりも上方にある状態となっている。
【０２４３】
このノズル１２０によれば、電磁弁２１４が開状態となって、ノズル１２０に水が供給されても、小便器２５０の利用者が載っているノズル１２０からの放水が行われず、利用者が載っていないノズル１２０だけから放水が行われるので、利用者が履き物の底を濡らすことがない。
【０２４４】
つまり、電磁弁２１４が閉状態でノズル１００への水の供給が行われていない場合には、図２６（ａ）に示すように、移動部１２１−２の開閉部１３４は、円環状部１０６の上に載置された状態で停止しており、一方、電磁弁２１４が開状態となって、ノズル１００への水の供給が行われると、図２６（ｂ）に示すように、移動部１２１−２は、開閉蓋１３４の下面（筒状部１３２側とは反対側の面）にかかる水圧により押されて上昇するが、当初は、開閉蓋１３４の周端が円環状部１２７の内周面に対して接した状態で上昇する。つまり、開閉蓋１３４は、円環状部１２７に対して摺動する。このように、開閉蓋１３４の周端が円環状部１２７の内周面に接した状態では、水は、開閉蓋１３４と円環状部１２７の間を通過できないので、上面部１３０の穴部１３０ａから水が出ることはない。その後、開閉蓋１３４が上昇して、開閉蓋１３４の周端が円環状部１２７の内周面に接しない状態になると（図２６（ｃ）参照）、開閉蓋１３４と円環状部１２７の間に隙間が形成されるので、該隙間を水が通過し、さらに、流水は、突状部１２８ａ〜突状部１２８ｄにおける互いに隣接する突状部間の隙間を通って上面部１３０に到達し、上面部１３０の穴部１３０ａから流出する。なお、穴部１３０ａ−２からは、該突状部間の隙間を通った水は筒状部１３２の穴部１３２ａ〜１３２ｄを通って流出し、穴部１３０ａ−１からは、該突状部間の隙間を通った水はそのまま流出する。移動部１２１−２が上端に位置する場合には、図２６（ｃ）に示す状態となる。
【０２４５】
ノズル１２０は上記のように構成されているので、水圧により移動部１２１−２が上昇した状態でも、開閉蓋１３４が円環状部１２７の内周面に接している場合には、水は上面部１３０の穴部１３０ａから流出しないので、図２７（ｂ）に示すように、靴底ＫＺに溝ＫＺ−ｍがあって、ノズル１２０が該溝ＫＺ−ｍに入り込んで、いわばノズル１２０を半押しした状態となっていても、開閉蓋１３４の周端が円環状部１２７の内周面に接している場合には、水が流出せずに、利用者の履き物を濡らすことがない。
【０２４６】
なお、図２７（ａ）に示すように、ノズル１２０が靴底の下方に突出した部分である突出部ＫＺ−ｔにより踏まれて、移動部１２１−２が下端位置（開閉蓋１３４の底面が円環状部１２６の上面に接する位置）にある場合には、開閉蓋１３４の周端が円環状部１２７の内周面に接するとともに、開閉蓋１３４の下面が円環状部１２６の上面に接しているので、水は上面部１３０の穴部１３０ａからは流出しないので、利用者の履き物を濡らすことがない。また、開閉蓋１３４が円環状部１２６の上面に接して開口部１２６ａを閉じるので、水がノズル１２０から流出するのを十分防止することができる。また、開閉蓋１３４の下端位置では、開閉蓋１３４が円環状部１２６の上面に接しているので、足がノズル１２０の上に乗ることにより、移動部１２１−２を下方に押しても、円環状部１２６により移動部１２１−２を支持することができる。
【０２４７】
一方、利用者の足が載っていないノズル１２０については、図２６（ｃ）の状態となって、水が上面部１３０の穴部１３０ａから流出する。
【０２４８】
なお、ノズル１２０の製造に際しては、固定部１２１−１と移動部１２１−２を別々に製造しておき、移動部１２１−２を固定部１２１−１に上方から押し込むことにより突状部１２８ａ〜１２８ｄの弾性を利用して開閉蓋１３４を突状部１２８ａ〜１２８ｄの下側に位置させるようにしてもよい。また、移動部１２１−２の製造に際しては、開閉蓋１３４に穴部を形成するとともに、筒状部１３２の下端に該穴部に係合する爪部を設けて、開閉蓋１３４を筒状部１３２の下端に固着させるようにしてもよい。
【０２４９】
なお、上記の説明においては、底面部１２２と円環状部１２６が設けられているとしたが、円環状部１２６の位置に底面部１２２を設け、円環状部１２６を省略した構成としてもよい。この場合には、円環状部１２７は底面部１２２の上面から連設され、円環状部１２７と底面部１２２に段差が形成された構成となる。このような構成でも、開閉蓋１３４が底面部１２２に接した状態では、底面部１０２の穴部１２２ａが塞がれることになる。
【０２５０】
また、側面部１２４の外面に、ノズル８０における溝部９０ａ〜９０ｈと同様の溝部を縦方向に形成して、水が下方に流れやすくしてもよい。
【０２５１】
また、固定部１２１−１においては、底面部１２２が設けられているとしたが、取付部１３６の径を側面部１２４の径と同じとして、底面部１２２の構成を省略してもよい。ただし、その場合には、接続部４２の円筒状部４４ａの径が大きくなり、副導水部本体３６における接続部４２を取り付けるための穴部も大きくなってしまうので、底面部１２２を設けるのが好ましい。
【０２５２】
なお、足のせ装置５に設けられた全てのノズルをノズル１００やノズル１２０にする必要はなく、利用者の足が載せられる領域にノズル１００やノズル１２０を設ければよいので、例えば、図２８に示すように、領域Ｒ１や領域Ｒ２内のノズルは、ノズル１００又はノズル１２０とし、領域Ｒ１、Ｒ２以外の領域のノズルについては、ノズル６０〜８０のいずれかにすればよい。なお、取り付けるノズルの種類を少なくするために、領域Ｒ１、Ｒ２内のノズルは、ノズル１００とノズル１２０のいずれか一方とし、領域Ｒ１、Ｒ２以外の領域内のノズルは、ノズル６０、７０、８０におけるいずれかとするのが好ましい。
【０２５３】
以上のように、足のせ装置５及び足のせ装置５と制御システム２００（２００’）からなる足のせシステム１（１’）によれば、排尿中（つまり、足のせ装置５（特に、ノズル）に足をのせた状態）及び排尿直後にはノズル６０等の穴部から水が出るので、足をのせる領域（特に、ノズル）を洗浄することができ、さらに、放水口５２ａからも水が出るので、内底部２０も洗浄することができる。
【０２５４】
また、ノズル６０、７０、８０、１００、１２０は接続部４２に対して着脱自在となっているので、ノズルが破損した場合等に取り替えることができる。
【０２５５】
なお、上記のノズル６０、７０、８０、１００、１２０において、ノズルの上面に設けられた穴部６６ａ、７６ａ、８６ａ、１１０ａ−１、１１０ａ−２、１３０ａ−１、１３０ａ−２の大きさを副導水部３４−１〜３４−１２の各副導水部における下流側（つまり、蓋部４０側）に行くに従い大きくしてもよい。つまり、副導水部３４−１〜３４−１２においては、下流側に行くほどノズルから流出する水の水圧が低くなり、ノズルから流出する水の量が少なくなるので、ノズルの穴部の面積（径としてもよい）を副導水部３４−１〜３４−１２における下流側に行くほど大きくするのである。これにより、下流側に行くほどノズルからの流出量が少なくなるのを防止することができる。
【０２５６】
なお、上記の説明において、側部１０の後側部１８は、図７に示すように構成されているとしたが、足のせ装置５が設置された床面に後側部１８に沿って排水用の溝部が設けられている場合には、樋としての機能を有する第３導水部本体５８を設けることなく、後側部１８の外壁部１８ａに排出口を設けて排出口から該溝部に排水するようにしてもよい。
【０２５７】
すなわち、図２９に示すように、内底部２０の背面側の端部から底部９の上面まで形成された縦板部１８ｄと、縦板部１８ｄの右側面側の端部から背面側に向けて縦板部１８ｄに対して直角に設けられた縦板部１８ｅと、縦板部１８ｄの左側面側の端部から背面側に向けて縦板部１８ｄに対して直角に設けられた縦板部１８ｆとが設けられ、外壁部１８ａには、横長の切欠部１８ａ−１が設けられ、切欠部１８ａ−１と底部９の背面側の端部とで排出口ＨＫが設けられている。排出口ＨＫは、足のせ装置５の背面視において、横長長方形状を呈している。内底部２０から流れた水は、縦板部１８ｄと底部９における縦板部１８ｄよりも背面側の領域９−１に沿って排出口ＨＫに流れるので、縦板部１８ｄと底部９の領域９−１とで、第３導水部（内底部の排水側の辺部に流れた液体を足のせ装置の外部に流すための排水用導水部）５６’が構成される。
【０２５８】
図２９に示す構成においては、内底部２０を流れた水は、内底部２０の背面側の端部から縦板部１８ｄに沿って下方に落下して、排出口ＨＫから外部に排出される。なお、縦板部１８ｅは、縦板部１８ｄの右側面側の端部に沿って落下した水を排出口ＨＫに案内するための壁部であり、縦板部１８ｆは、縦板部１８ｄの左側面側の端部に沿って落下した水を排出口ＨＫに案内するための壁部である。
【０２５９】
また、図２９の構成においては、小便器２５０の下方に設置する場合に、図１に示す場合とは足のせ装置５を前後逆にして設置し、排出口ＨＫが壁面ＫＢ側とは反対側となるようにし（つまり、後側部１８が手前側に位置するようにする）、足のせ装置５が設置された床面において、後側部１８に沿って（つまり、後側部１８の手前側）に排水用の溝部を設けてもよい。
【０２６０】
なお、上記の説明においては、足のせ装置５が平面視で長方形状を呈するものとして説明したが、小便器が床面まで形成されている場合には、長方形状に対して小便器の下端領域を切り欠いた形状とする。
【０２６１】
すなわち、図３０に示す小便器２５１は、壁に沿って設けられた背面部２５２と、背面部２５２の右側面側の端部から連設された右側面部２５４と、背面部２５２の左側面側の端部から連設された左側面部２５６と、右側面部２５４の正面側の端部の下端領域から連設され右正面部２５８と、左側面部２５６の正面側の端部の下端領域から連設され、右正面部２５８と連設された左正面部２６０と、背面部２５２と右側面部２５４と左側面部２５６と右正面部２５８と左正面部２６０から連設され、小便器２５１の底面を構成する底面部２６２と、背面部２５２と右側面部２５４と左側面部２５６から連設され、小便器２５１の上側に設けられた上面部２６４とを有し、小便器２５１の下端領域は、ベース形状の五角形を呈しているので、これに合わせて、足のせ装置（ステップ装置としてもよい）５’は、長方形状に五角形の切欠きを設けた形状となっている。
【０２６２】
なお、図１に示す小便器２５０の場合と同様に、小便器２５１に既設のセンサ２４０は、上面部２６４に設けられ、既設のセンサ２４０とは別に設ける場合のセンサ２４０’は、図３０に示す例では、上面部２６４の上面に設けられている。
【０２６３】
足のせ装置５’は、足のせ装置の利用者が足をのせるための装置であり、図３０〜図３３に示すように構成され、足のせ装置５と略同様の構成であるが、ベース部７’は、平面視において、長方形状に五角形の切欠きを設けた形状となっており、ベース部７’の底部は、ベース部７’の平面視の形状と同一の形状に形成されている。
【０２６４】
また、ベース部７’における側部１０は、底部の辺部に沿って枠状に形成され、底部の正面側の辺部に沿って形成された前側部１２と、底部の右側面側の辺部に沿って形成された右側部１４と、底部の左側面側の辺部に沿って形成された左側部１６と、底部の背面側の辺部に沿って形成された後側部１８とを有し、後側部１８は、右側部１４の後側の端部から連設され、左右方向に（つまり、前側部１２と平行に）形成された後側部構成部１８−１と、後側部構成部１８−１の左側の端部から連設され、前後方向に（つまり、右側部１４と平行に）形成された後側部構成部１８−２と、後側部構成部１８−２の前側の端部から連設され、左側にいくほど前側となるように傾斜して形成された後側部構成部１８−３と、後側部構成部１８−３の左側の端部から連設され、左側にいくほど後側となるように傾斜して形成された後側部構成部１８−４と、後側構成部１８−４の後側の端部から連設され、前後方向に（つまり、右側部１４と平行に）形成された後側部構成部１８−５と、後側部構成部１８−５の後側の端部と左側部１６の後側の端部から連設され、左右方向に（つまり、前側部１２と平行に）形成された後側部構成部１８−６とを有し、後側部構成部１８−１〜１８−６は、平面視において、直線状の帯状を呈している。前側部１２と右側部１４と左側部１６と後側部１８における各後側部構成部は、ベース部７と同様に、いずれも外壁部（外面部としてもよい）と上壁部（上面部としてもよい）と内壁部（内面部としてもよい）とを有し、外壁部と上壁部の間で係合するように形成されている。
【０２６５】
なお、後側部１８における後側部構成部１８−１、１８−３、１８−４、１８−６の内壁部には、内底部２０上を流れた水を排出するための排出口が設けられ、また、右側部１４の外側面には、第３導水部５６における管部５９−１が挿通するための穴部が設けられ、左側部１６の外側面には、第３導水部５６における管部５９−２が挿通するための穴部が設けられている。
【０２６６】
また、ベース部７’における内底部２０は、底部の上方に底部と間隔を介して設けられ、平板状（略平板状としてもよい）を呈している。この内底部２０’は、側部１０’における内壁部に沿った形状に形成され、長方形状に五角形の切欠きを設けた形状に形成されている。なお、内底部２０は、足のせ装置５における内底部２０と同様に、放水管５２の放水口５２ａから放水された水が排出口１９側に流れやすくするために後側部構成部１８−１、１８−３、１８−４、１８−６に設けられた排出口側に向けて下方となるように傾斜して形成されている。
【０２６７】
また、足のせ装置５の内底部２０と同様に、内底部２０には、ノズル６０を取り付ける箇所ごとに接続部４２の円筒状部４４ａを挿通するための円形の穴部が設けられている。また、内底部２０が傾斜していることから、内底部２０は、平板状を呈するが、接続部４２のフランジ部４４ｂが水平となるように、内底部２０の上面におけるフランジ部４４ｂとパッキン４６が接する領域が切り欠かれ、これにより、該領域が水平となっている。
【０２６８】
また、足のせ装置５と同様に、支持部２２が、底部と内底部２０間に設けられ、底部の上面に接するとともに内底部２０の底面部に接して、内底部２０を支持している。該支持部２２は、前後方向に伸びた板状を呈し、支持部２２は、内底部２０が下方に撓むのを防止するために設けられている。
【０２６９】
また、第１導水部３０は、ノズル６０に水を導くための導水路を構成するものであり、左側部１６と前側部１２に沿って設けられた本導水部３２と、本導水部３２に接続された副導水部３４−１〜３４−１２とを有している。本導水部３２は、管部３２−１と、管部３２−２と、管部３２−３とを有している。
【０２７０】
この第１導水部３０については、副導水部３４−１〜３４−１２における副導水部３４−３〜３４−１０が、ベース部７’の形状に合わせて副導水部３４−１〜３４−２、３４−１１、３４−１２よりも短く形成されている以外は足のせ装置５の第１導水部３０と同様の構成であるので、詳しい説明を省略する。
【０２７１】
また、第２導水部５０は、内底部２０の上面に水を放水するための導水路を構成するものであり、管部５０−１と、管部５０−２と、管部５０−３と、放水管５２とを有している。
【０２７２】
この第２導水部５０については、足のせ装置５の第２導水部５０と同様の構成であるので、詳しい説明を省略する。水は、第２導水部５０と同様に、放水管５２の背面側の端部に設けられた放水口５２ａから放水される。
【０２７３】
また、第３導水部５６は、後側部構成部１８−３、１８−２、１８−１に沿って形成された第３導水部本体５８−１と、第３導水部本体５８−１の右側の端部に設けられた管部５９−１と、後側部構成部１８−４、１８−５、１８−６に沿って形成された第３導水部本体５８−２と、第３導水部本体５８−２の左側の端部に設けられた管部５９−２とを有している。
【０２７４】
第３導水部本体５８−１、５８−２は、足のせ装置５における第３導水部本体５８と各後側部構成部の境界位置で屈曲している以外は同様の構成であり、第３導水部本体５８−１、５８−２は、内底面２０上を流れてきた水を後側部１８の長手方向に沿って流す樋としての機能を有している。なお、第３導水部本体５８−１は、左側の端部から管部５９−１に向けて下方に傾斜するように形成され、第３導水部本体５８−１における後側部構成部１８−３に沿った部分は、右側にいくほど下方に傾斜するように形成され、後側部構成部１８−２に沿った部分は、後側にいくほど下方に傾斜するように形成され、後側部構成部１８−１に沿った部分は、右側にいくほど下方に傾斜するように形成されている。同様に、第３導水部本体５８−２は、右側の端部から管部５９−２に向けて下方に傾斜するように形成され、第３導水部本体５８−２における後側部構成部１８−４に沿った部分は、左側にいくほど下方に傾斜するように形成され、後側部構成部１８−５に沿った部分は、後側にいくほど下方に傾斜するように形成され、後側部構成部１８−６に沿った部分は、左側にいくほど下方に傾斜するように形成されている。
【０２７５】
第３導水部５６は上記のように構成されているので、後側部構成部１８−３、１８−１の排出口に流れた水は、第３導水部本体５８−１を経て管部５９−１から排出され、一方、後側部構成部１８−４、１８−６の排出口に流れた水は、第３導水部本体５８−２を経て管部５９−２から排出される。
【０２７６】
また、副導水部３４−１〜３４−１２に取り付けられるノズルの構成は、足のせ装置５に取り付けられるノズル（放水体）と同様の構成であり、ノズル（放水体）６０、７０、８０、１００、１２０が挙げられる。
【０２７７】
また、足のせ装置５’に接続される制御システムは、上記制御システム２００と同様の構成であり、また、制御システム２００の代わりに制御システム２００’、２００’’としてもよい。
【０２７８】
また、足のせ装置５’と制御システム２００（２００’）からなる足のせシステムの動作は、足のせ装置５と制御システム２００からなる足のせシステム１や足のせ装置５と制御システム２００’からなる足のせシステム１’と同様であり、図１４、図１５、図１７等に示す工程に従い動作する。また、足のせシステム１の場合と同様に、上記第３の方法、第４の方法、第５の方法により動作させてもよい。また、足のせ装置５’に制御システム２００’’を接続した場合の制御システム２００’’の動作は、上記足のせシステム１’’における制御システム２００’’の動作と同様である。
【０２７９】
足のせ装置５’とフラッシュバルブ４００とを備えた足のせシステムとしてもよく、その場合には、図１９の足のせシステム１’’’において、足のせ装置５の代わりに足のせ装置５’が設けられることになる。
【０２８０】
以上のように、足のせ装置５’及び足のせ装置５’と制御システム２００（２００’）からなる足のせシステムによれば、排尿中（つまり、足のせ装置５’（特に、ノズル）に足をのせた状態）及び排尿直後にはノズル６０等の穴部から水が出るので、足をのせる領域（特に、ノズル）を洗浄することができ、さらに、放水口５２ａからも水が出るので、内底部２０も洗浄することができる。
【０２８１】
また、足のせ装置５’と制御システム２００’’からなる足のせシステムや足のせ装置５’とフラッシュバルブとを有する足のせシステムによれば、排尿直前又は排尿中に押しボタンを押すことにより、排尿中（つまり、足のせ装置５（特に、ノズル）に足をのせた状態）でも足をのせる領域（特に、ノズル）を洗浄することができるとともに、内底部２０の汚れを洗い流すことができる。
【０２８２】
また、ノズル６０等は接続部４２に対して着脱自在となっているので、ノズルが破損した場合等にノズルを取り替えることができる。
【０２８３】
なお、上記の説明では、センサにより利用者が検知されたことや、押しボタンが押されたことをきっかけとしてノズル６０等や放水口５２ａから放水するものとしたが、第１導水部３０や第２導水部５０に常に水を流し続けて、ノズル６０等や放水口５２ａから常に放水するようにしてもよい。これにより、排尿中及び排尿直後にもノズル６０等の穴部から水が出るので、足をのせる領域（特に、ノズル６０等）を洗浄することができ、さらに、排尿中及び排尿直後にも放水口５２ａから水が出るので、内底部２０やノズルの側面を洗浄することができる。
【０２８４】
なお、上記の説明においては、洗浄を行なうための液体が水であるとして説明したが、洗浄剤入りの水等の液体であればよい。
【０２８５】
また、ノズル（放水体）６０、７０、８０、１００、１２０は、全体に略円柱状を呈しているが、そのような形状には限られず、内底部２０から上方に突出できる例えば、直方体形状（略直方体形状としてもよい）のノズル本体と取付部とを有する形状や、立方体体形状（略立方体形状としてもよい）のノズル本体と取付部とを有する形状としてもよい。
【０２８６】
また、上記の説明では、複数のノズルにおける隣接するノズルは前後方向にも左右方向にも間隔を介して設けられているとして説明したが、ノズルを直方体形状や立方体形状とした場合に、前後方向に隣接するノズルが互いに接するか、あるいは、近接した状態としてもよい。つまり、この場合には、ノズルは、前後方向に連なった状態となる。
【０２８７】
また、上記の説明においては、足のせ装置や足のせシステムは、小便器用に用いるとして説明したが、小便器用には限られず他の用途に使用してもよく、例えば、調理場、工場等の入り口等に配置して用いてもよい。これにより、調理人の足もとが調理くず等により汚れたり、工場に入る者の履き物が裏の汚れにより入り口の足もとが汚れても、ノズルからの放水により、足をのせる領域（特に、ノズル）を洗浄することができ、また、放水口からの放水により内底部上に落ちた汚れを洗い流すことができる。
【符号の説明】
【０２８８】
１、１’、１’’、１’’’  足のせシステム
５、５’  足のせ装置
７  ベース部
９  底部
１０  側部
１２  前側部
１２ａ、１４ａ、１６ａ、１８ａ  外壁部
１２ｂ、１４ｂ、１６ｂ、１８ｂ  上壁部
１２ｃ、１４ｃ、１６ｃ、１８ｃ  内壁部
１４  右側部
１６  左側部
１８  後側部
１８ｄ、１８ｅ、１８ｆ  縦板部
１９  排水口
２０  内底部
２２  支持部
３０  第１導水部
３０ａ  供給口
３２  本導水部
３２−１、３２−２、３２−３  管部
３４−１〜３４−１２  副導水部
３６  副導水部本体
３８  接続部
４０  蓋部
４２  接続部
４４  接続部本体
４６  パッキン
５０  第２導水部
５０−１、５０−２、５０−３  管部
５２  放水管
５２ａ  放水口
５６  第３導水部
５８  第３導水部本体
５９、５９−１、５９−２  管部
６０、７０、８０、１００、１２０  ノズル
６１、７１、８１、１０１、１２１  ノズル本体
６２、７２、８２、１０２、１２２  底面部
６４、７４、８４、１０４、１２４  側面部
６６、７６、８６  上面部
６８、７８、８８、１１６、１３６  取付部
１０１−１、１２１−１  固定部
１０６、１２６、１２７  円環状部
１０８ａ〜１０８ｄ、１２８ａ〜１２８ｄ  突状部
１０１−２、１２１−２  移動部
１１０、１３０  上面部
１１２、１３２  筒状部
１１４、１３４  開閉蓋
２００、２００’、２００’’  制御システム
２１０、２１２、２１３  圧力調整弁
２１４、２１６、２１７  電磁弁
２３０  制御装置
２４０、２４０’  センサ
２４１  入力装置
４００  フラッシュバルブ
ＨＫ  排出口
【図１】
2019210760.tif 000003
【図２】
2019210760.tif 000004
【図３】
2019210760.tif 000005
【図４】
2019210760.tif 000006
【図５】
2019210760.tif 000007
【図６】
2019210760.tif 000008
【図７】
2019210760.tif 000009
【図８】
2019210760.tif 000010
【図９】
2019210760.tif 000011
【図１０】
2019210760.tif 000012
【図１１】
2019210760.tif 000013
【図１２】
2019210760.tif 000014
【図１３】
2019210760.tif 000015
【図１４】
2019210760.tif 000016
【図１５】
2019210760.tif 000017
【図１６】
2019210760.tif 000018
【図１７】
2019210760.tif 000019
【図１８】
2019210760.tif 000020
【図１９】
2019210760.tif 000021
【図２０】
2019210760.tif 000022
【図２１】
2019210760.tif 000023
【図２２】
2019210760.tif 000024
【図２３】
2019210760.tif 000025
【図２４】
2019210760.tif 000026
【図２５】
2019210760.tif 000027
【図２６】
2019210760.tif 000028
【図２７】
2019210760.tif 000029
【図２８】
2019210760.tif 000030
【図２９】
2019210760.tif 000031
【図３０】
2019210760.tif 000032
【図３１】
2019210760.tif 000033
【図３２】
2019210760.tif 000034
【図３３】
2019210760.tif 000035